(57)【要約】【課題】  メダルを遊技に供するためにスロットマシン側に提供可能とするとともに、メダル貯蔵部へ貯蔵可能とする。【解決手段】  メダル払出機１は、転動流下メダルを筺体３前面１３４下側にて無端ベルト７５上の搬送突起８３上に載せて揚送し、指示に応じて、リフト中にシャッタ７７ａを開口すると穿設口７７を介して内部のメダル貯蔵部へ導き、シャッタ７７ａを閉じるとリフト後傾斜面８０を滑落後開口７９からネット８１ｂに導くことができる。【選択図】図１２
2010022671.tif 000002
【特許請求の範囲】
【請求項１】
遊技台に隣接して設けられた筺体と、前記筺体に内在し、メダルを貯蔵するメダル貯蔵部と、投入されたメダルを受け入れるメダル受入部と、前記メダル受入部から受け入れたメダルを前記メダル貯蔵部へ貯蔵する為に導く第１経路かスロットマシン側へ提供する為に導く第２経路かを選択するメダル導き選択手段と、前記メダル貯蔵部に貯蔵されるメダルを前記筺体前面側に払い出すメダル払出部と、を備えることを特徴とするメダル払出機。
【請求項２】
さらに前記メダル受入部から受け入れたメダルをリフトするリフト手段を備え、前記メダル導き選択手段は、前記メダル受入部から受け入れたメダルを、前記リフト手段によってリフトした後、前記第１経路か前記第２経路かを選択することを特徴とする請求項１記載のメダル払出機。
【請求項３】
前記メダル導き選択手段は、前記リフト手段によってリフトされたメダルを滑落させて、該滑落の途中で、前記第１経路か前記第２経路かを振り分けて案内する振分案内片を備え、指示に応じて前記振分案内片を動作させて前記第１経路か前記第２経路かへ導くことを特徴とする請求項２記載のメダル払出機。
【請求項４】
前記メダル導き選択手段は、前記リフト手段によってリフトされたメダルを、該リフトの途中で、前記筺体前面側であってリフトされるメダルの外縁側に設けられた孔を開閉するシャッタを開口することで前記第１経路へ導き、前記シャッタを閉じることで前記リフト手段によるリフト後に前記第２経路に導くことを特徴とする請求項２記載のメダル払出機。
【請求項５】
前記リフト手段及び／または前記メダル導き選択手段は、前記筺体前面外側にリフトされるメダルを透視可能な透明乃至半透明部材で形成されたメダル通路を備えることを特徴とする請求項１乃至４いずれか記載のメダル払出機。
【請求項６】
前記第２経路の端部に、メダルをその上面に支持して滑落可能に斜め下方に向かって傾斜した支持体と、前記支持体によって支持されることによって積層した積層メダルを取り出し可能な開口部を備え、前記第２経路に従って導かれ、前記支持体に支持されて滑落中のメダルの滑落方向における滑落メダル下端部が、支持体の滑落方向における支持体端部か既に積層された積層メダル上面に当接すると、それぞれ前記支持体端部または前記積層メダル上面に沿って移動可能であり、該移動の結果前記滑落メダル下端部の反対側の滑落メダル上端部がそれぞれ前記支持体または前記積層メダル上面に接触して静止し積層を完了することを特徴とする請求項１乃至５いずれか記載のメダル払出機。
【請求項７】
請求項２記載のメダル払出機のメダル払出方法であって、前記メダル受入部に投入されたメダルを受け入れるメダル受入工程と、前記メダル受入工程によって受け入れたメダルをリフトする前記リフト手段によるリフト工程と、前記リフト工程によってリフトされたリフト途中またはリフト後におけるメダルを前記メダル貯蔵部へ貯蔵する為に導くかスロットマシン側へ提供する為に導くかを選択する前記メダル導き選択手段によるメダル導き選択工程と、前記メダル導き選択工程によって前記第１経路が選択された場合、前記メダル貯蔵部へ貯蔵する為に導く第１経路導き工程と、前記メダル導き選択工程によって前記第２経路が選択された場合、前記スロットマシン側へ提供する為に導く第２経路導き工程と、前記第１経路導き工程によって導かれて一旦メダル貯蔵部へ貯蔵されたメダルを、前記メダル払出部によって指示により払い出す払出工程と、を備えることを特徴とするメダル払出機のメダル払出方法。
【発明の詳細な説明】
【技術分野】
【０００１】
本発明は、スロットマシンで遊技に使用するメダルを払い出すメダル払出機、及びメダル払出機のメダル払出方法に関する。
【背景技術】
【０００２】
従来、例えば特許文献１の回胴式遊技機用メダル装置においては、筺体裏面側より供給管Ｂを介して外部供給口２１より補充用メダルを落下させて受入タンク３１に受け入れて貯蔵後、貸出指示操作に基づいて、受入タンク３１に貯蔵されたメダルを搬送ベルト３２によってメダルホッパー４４に導くと共に、切換手段４８を作動させてカウント部４６から貸出部側排出口４７ｂへ連通させ、メダルホッパー４４に内在するメダルをカウント部４６、貸出部側排出口４７ｂを介して貸出口５２へ払い出す。
【０００３】
一方、メダル投入口４１から投入した計数用メダルは、メダル投入口４１の開状態の検知に基づいてメダルホッパー４４に導いた後カウント部４６を作動させて計数すると共に、切換手段４８を作動させてカウント部４６から樋側排出口４７ａを介してベルトコンベア８１上に導き、ベルトコンベア８１を駆動させて回収樋Ｃへ導く。
【０００４】
また例えば特許文献２の遊技装置においては、メダルがシュート先端部９からスロットマシンのメダル投入口２ａに直接投入される。
【０００５】
また例えば特許文献３の遊技機においては、下皿１１に貯留するパチンコ玉を、遊技者の操作により、上皿７まで搬送する搬送機構３０（螺旋体による）を設けている。
【０００６】
また例えば特許文献４のパチンコゲーム機の玉案内装置においては、玉受皿３から排出されたパチンコ玉を可動玉受皿１８で受けて、案内腕７を介して台間機玉貸機５へ導く。
【特許文献１】特開平１１−２２６２３４
【特許文献２】特開２００１−０４６７２３
【特許文献３】特開２００１−３５３３２２
【特許文献４】実用新案２５７９７９２
【発明の開示】
【発明が解決しようとする課題】
【０００７】
特許文献４の玉受皿３から排出されたパチンコ玉を可動玉受皿１８で受けて、案内腕７を介して台間機玉貸機５へ導き、特許文献３の遊技機における、上皿７まで搬送する搬送機構３０により揚送後、特許文献２の遊技装置においては、メダルがシュート先端部９からスロットマシンのメダル投入口２ａに直接投入するよう組み合わせてもよい。
【０００８】
また、特許文献４の玉受皿３から排出されたパチンコ玉を可動玉受皿１８で受けて、案内腕７を介して台間機玉貸機５へ導き、特許文献３の遊技機における、上皿７まで搬送する搬送機構３０により揚送後、特許文献１の回胴式遊技機用メダル装置における、メダル投入口４１から投入した計数用メダルは、メダル投入口４１の開状態の検知に基づいてメダルホッパー４４に導いた後カウント部４６を作動させて計数するよう組み合わせてもよい。
【０００９】
しかしながら、メダルを上記揚送後、特許文献２の遊技用としてスロットマシンのメダル投入口２ａに導くことと、特許文献１の計数用としてメダル投入口４１に導くこと、を同時に成立させることはできない。
【００１０】
本発明は、このような事情に鑑みてなされたもので、メダルを遊技に供するためにスロットマシン側に提供可能とするとともに、メダル貯蔵部へ貯蔵可能とすることを目的とする。
【課題を解決するための手段】
【００１１】
上記課題を解決するため本発明のメダル払出機は、遊技台に隣接して設けられた筺体と、前記筺体に内在し、メダルを貯蔵するメダル貯蔵部と、投入されたメダルを受け入れるメダル受入部と、前記メダル受入部から受け入れたメダルを前記メダル貯蔵部へ貯蔵する為に導く第１経路かスロットマシン側へ提供する為に導く第２経路かを選択するメダル導き選択手段と、前記メダル貯蔵部に貯蔵されるメダルを前記筺体前面側に払い出すメダル払出部と、を備えることを特徴とする。
【００１２】
この発明によれば、メダル受入部から受け入れたメダルをメダル貯蔵部へ貯蔵する為に導く第１経路かスロットマシン側へ提供する為に導く第２経路かを選択するメダル導き選択手段を備えるので、メダルを遊技に供するためにスロットマシン側に提供可能とするとともに、計数可能とすることができる。
【００１３】
なお、メダル受入部としては、例えば筺体前面側に設けられ、上方が広く開口した半ドーム形状の漏斗状のものや、上方側が開口し底側が該上方側の開口より幅狭であって、受け入れたメダルを起立させて転動流下可能な下方傾斜した溝部を備え、前記起立させたメダルの転動流下した最下流側がメダル払出機の前面下方側に至るようにしたものなどを例示できる。
【００１４】
またなお、メダル受入部に受け入れたメダルは、第１経路によりメダル貯蔵部へ導く際に計数部で誤りなく計数する為や、第２経路によりスロットマシン側へ提供する際に遊技者が並べ直してスロットマシンの投入口に投入する手間を減らす為に、１枚毎に整列させる整列手段を備えるようにするとよい。しかしながら、遊技者が計数した後再び遊技に供する為に払い出す為にメダル貯蔵部に導くのではなく、店員が補充の為にメダル貯蔵部に導く場合は、整列手段は必要ではなく、この場合第２経路の途中に整列手段を設けるようにしてもよい。
【００１５】
このように必要に応じて設けられる整列手段としては、例えば、円筒径内に受け入れたメダルを下方に設けられたディスクが回転し、その遠心力で円筒径内外延に設けられた排出口から整列させて排出する機構、特公昭６３−３６０４０公報記載の円筒径内を回転するディスクにメダルを受け入れるメダル受入孔を設け、ホッパー底部に設けられた固定されたガイドピンであって、ディスクが回転するとディスク下面側であってディスク回転軌道上に設けられた切欠部をガイドピンが通過するよう構成され、メダル受入孔に受け入れたメダルがガイドピンに導かれ、円筒径内外延に設けられた排出口から１枚毎に排出する機構（ディスク型整列機構）、断面Ｖ字の谷にメダルを落として谷底に１枚のみメダル外縁端が当接可能な谷底に導き入れ、メダル１枚毎に当該谷に沿って下り傾斜を起立転動させて整列させる機構（Ｖ字谷整列機構）、などが例示できる。またディスク型整列機構の場合、ディスクを挟持し、ディスクの上面側の一部、下面側の全部を覆うよう研磨部材（金属ブラシ等）を配設して、メダルと研磨部材のディスク回転に伴う接触によってメダルの汚れが除去されるようにしてもよい。
【００１６】
またなお、メダル導き選択手段としては、例えば、メダル受入部が筺体前面側に設けられ、上方が広く開口した半ドーム形状の漏斗状のものとし、メダル貯蔵部の上方または斜め上方に配置し、メダル受入部から受け入れたメダルをメダル貯蔵部へ滑落または落下させて導く（第１経路）場合、メダル受入部の底部に上記ディスク型整列機構を配置し、整列後に第１経路と第２経路とに振り分けて案内するようにしてもよい。なおこの場合第２経路は、ディスク型整列機構から排出されたメダル（この時点では筺体内部に在る）を筺体前面の外側のスロットマシン側へ導く通路へ排出する。（Ａ案）
【００１７】
他のメダル導き選択手段としては、例えば、受入部に上記Ｖ字谷整列機構におけるＶ字谷を用いる場合、筺体前面下側に２つのリフト機構を並べて配置し、第１経路に導く場合は第１のリフト機構側に、第２経路に導く場合は第２リフト機能側に、振り分けて分岐通路の内１の側に案内して導くようにしてもよい。（Ｂ案）
【００１８】
また他のメダル導き選択手段としては、例えば、受入部に上記Ｖ字谷整列機構におけるＶ字谷を用いる場合、筺体前面下側に１つのリフト機構を配置し、リフト機構によってリフトアップ後に、筺体前面中段に配置した第１経路と第２経路に滑落させつつ分岐して導く分岐通路に導き、分岐通路の内、第１経路側と第２経路側へのいずれかの側に振り分けて案内するようにしてもよい。（Ｃ案）
【００１９】
また他のメダル導き選択手段としては、例えば、受入部に上記Ｖ字谷整列機構におけるＶ字谷を用いる場合、上記Ｖ字整列機構によって筺体側へ１枚毎に転動流下するメダルを筺体前面下側に導き、無端ベルトで構成されるコンベアリフト上に、転動メダルをその姿勢のままメダル外縁部を乗せるための突起（例えば搬送突起８３）を有し、その突起は筺体前面側が下側に、筺体前面側と反対側の転動メダル上流側が上側になるよう斜めに傾斜させたコンベアリフト機構を、リフト方向に垂直な四方を覆う通路内に配置し、コンベアリフト機構によってメダルをリフト中に、メダル外縁部と接する筺体前面に開口された穴を開閉するシャッタを開口すると、筺体前面に配置した内部のメダル貯蔵部へ導くことが可能な第１経路へ導くことができ、当該シャッタを閉じるとリフトアップ機構によってリフト後第２経路に導くことができるような例を例示できる。この形態が、動作が実績あるシャッタ開閉に限定され、振り分け案内する振分案内片にメダルが接触することもなく動作に信頼性が高いのと、スペースを取らないので有利である。（Ｄ案）
【００２０】
このようにメダル導き選択手段としては、種々のものが例示できるので、メダル受入部から受け入れたメダルをメダル貯蔵部へ貯蔵する為に導く第１経路かスロットマシン側へ提供する為に導く第２経路かを選択することができれば本発明に含まれる。
【００２１】
従って上記の内１の形態として、本発明のメダル払出機は、さらに前記メダル受入部から受け入れたメダルをリフトするリフト手段を備え、前記メダル導き選択手段は、前記メダル受入部から受け入れたメダルを、前記リフト手段によってリフトした後、前記第１経路か前記第２経路かを選択することを特徴とする。
【００２２】
この発明によれば、メダル導き選択手段は、リフト手段（上記リフト機構を含む）によってリフトした後、第１経路か第２経路かを選択するので、上記Ｂ案のようにリフト手段が経路毎に複数必要になることがないのでコスト面で有利である。なおリフト手段は、無端ベルト上にメダルを乗せる籠を配置し、リフト上端で籠を回転させてメダルをリフトから降ろすようにしてもよいし、筺体側へ１枚毎に転動流下するメダルを筺体前面下側に導き、無端ベルトで構成されるコンベアリフト上に、転動メダルをその姿勢のままメダル外縁部を乗せるための突起を有し、その突起は筺体前面側が下側に、筺体前面側と反対側の転動メダル上流側が上側になるよう斜めに傾斜させたコンベアリフト機構を、リフト方向に垂直な四方を覆う通路内に配置するようにしてもよい。なお籠やコンベアリフト機構などは外部に露出した構成としても、もともとメダルは遊技者のものであるので、問題ない。
【００２３】
また本発明のメダル払出機は、前記メダル導き選択手段は、前記リフト手段によってリフトされたメダルを滑落させて、該滑落の途中で、前記第１経路か前記第２経路かを振り分けて案内する振分案内片を備え、指示に応じて前記振分案内片を動作させて前記第１経路か前記第２経路かへ導くことを特徴とする。（Ｃ案）
【００２４】
この発明によれば、メダル導き選択手段は、リフト手段（上記リフト機構を含む）によってリフトした後、第１経路か第２経路かを選択する１形態を実現できる。なお、振分案内片は、例えば、前記第２経路へのメダルの進行を妨げるとともに前記第１経路への進行を促すように位置する第１経路進行位置と、前記第１経路へのメダルの進行を妨げるとともに前記第２経路への進行を促すように位置する第２経路進行位置と、に位置可能とすると、上記メダルの進行を妨げる部材を設けて動作させる必要のない、安いコストで実現できる。
【００２５】
しかしながらこの形態（Ｃ案）では、滑落するメダルが振り分けるために動作する振分案内片に衝突するので、長期安定的に動作補償することに不安がある。このため、本発明のメダル払出機は、前記メダル導き選択手段は、前記リフト手段によってリフトされたメダルを、該リフトの途中で、前記筺体前面側であってリフトされるメダルの外縁側に設けられた孔を開閉するシャッタを開口することで前記第１経路へ導き、前記シャッタを閉じることで前記リフト手段によるリフト後に前記第２経路に導くことを特徴とする。（Ｄ案）
【００２６】
この発明によれば、メダル導き選択手段は、リフト手段によってリフトされたメダルを、該リフトの途中で、筺体前面側であってリフトされるメダルの外縁側に設けられた孔を開閉するシャッタを開口することで第１経路へ導き、シャッタを閉じることでリフト手段によるリフト後に第２経路に導くので、動作が実績あるシャッタ開閉に限定され、振り分け案内する振分案内片にメダルが接触することもなく動作に信頼性が高い。
【００２７】
なお、第１経路に導くために、上記Ｄ案の如く構成してもよいが、他の形態としては、筺体側へ１枚毎に転動流下するメダルを筺体前面下側に導き、無端ベルトで構成されるコンベアリフト上に、転動メダルをその姿勢のままメダル外縁部を乗せるための突起（例えば搬送突起８３）を有し、リフト方向に垂直な四方を覆う通路内に配置し、コンベアリフト機構によってメダルをリフト中に、メダル外縁部と接する筺体前面に開口された穴を開閉するシャッタを開口するとともに筺体前面に開口された穴と反対側に、例えばメダルの存在を近接センサで検知したタイミングで、筺体前面に開口された穴方向に押出手段によって押し出すことで筺体前面に配置した内部のメダル貯蔵部へ導くことが可能な第１経路へ導くことができ、当該シャッタを閉じるとリフトアップ機構によってリフト後第２経路に導くことができるように構成してもよいが、近接センサや押出手段を設ける分コストが高くなる。
【００２８】
なお、上記第１経路に導く際、上記シャッタを開口するとともに、リフトされるメダルの上縁端を、上記筺体前面に開口された穴の方向に導く為のガイドを、筺体前面から斜め下方に向かって、リフトされるメダル１枚毎にタイミングよく突出してもよい。これによりフィルと手段のリフト速度を増加させても、問題なく上記筺体前面に開口された穴に導くことができる。
【００２９】
また、リフト手段でリフトされたり、メダル導き選択手段で第１経路と第２経路とに選択的に導かれるメダルは遊技者のものなので、本発明のメダル払出機は、ホールは途中でメダル数が減ったと言われないよう、前記リフト手段及び／または前記メダル導き選択手段は、前記筺体前面外側にリフトされるメダルを透視可能な透明乃至半透明部材で形成されたメダル通路を備えることを特徴としてもよい。
【００３０】
また本発明のメダル払出機は、前記第２経路の端部に、メダルをその上面に支持して滑落可能に斜め下方に向かって傾斜した支持体と、前記支持体によって支持されることによって積層した積層メダルを取り出し可能な開口部を備え、前記第２経路に従って導かれ、前記支持体に支持されて滑落中のメダルの滑落方向における滑落メダル下端部が、支持体の滑落方向における支持体端部か既に積層された積層メダル上面に当接すると、それぞれ前記支持体端部または前記積層メダル上面に沿って移動可能であり、該移動の結果前記滑落メダル下端部の反対側の滑落メダル上端部がそれぞれ前記支持体または前記積層メダル上面に接触して静止し積層を完了することを特徴とする。
【００３１】
この発明によれば、特許文献２の遊技装置においては、メダルがシュート先端部９からスロットマシンのメダル投入口２ａに直接投入される際に発生する、メダル投入口２ａの遊技機メーカー毎の寸法のばらつきにより直接投入できないとか、警察指導により遊技機に他の周辺機器が接触してはならないという問題に対応し、第２経路の端部に、メダルをその上面に支持して滑落可能に斜め下方に向かって傾斜した支持体と、支持体によって支持されることによって積層した積層メダルを取り出し可能な開口部を備え、第２経路に従って導かれ、支持体に支持されて滑落中のメダルの滑落方向における滑落メダル下端部が、支持体の滑落方向における支持体端部か既に積層された積層メダル上面に当接すると、それぞれ支持体端部または積層メダル上面に沿って移動可能であり、該移動の結果前記滑落メダル下端部の反対側の滑落メダル上端部がそれぞれ前記支持体または前記積層メダル上面に接触して静止し積層を完了するので、メダルをこぼすことなく確実に積層させるとともに、支持体をメダル投入口に隣接して設ければ、開口部から積層メダルを取り出して持ち運ぶ距離も少なくできるので投入しやすくなる。
【００３２】
また、本発明のメダル払出機のメダル払出方法は、前記メダル受入部に投入されたメダルを受け入れるメダル受入工程と、前記メダル受入工程によって受け入れたメダルをリフトする前記リフト手段によるリフト工程と、前記リフト工程によってリフトされたリフト途中またはリフト後におけるメダルを前記メダル貯蔵部へ貯蔵する為に導くかスロットマシン側へ提供する為に導くかを選択する前記メダル導き選択手段によるメダル導き選択工程と、前記メダル導き選択工程によって前記第１経路が選択された場合、前記メダル貯蔵部へ貯蔵する為に導く第１経路導き工程と、前記メダル導き選択工程によって前記第２経路が選択された場合、前記スロットマシン側へ提供する為に導く第２経路導き工程と、前記第１経路導き工程によって導かれて一旦メダル貯蔵部へ貯蔵されたメダルを、前記メダル払出部によって指示により払い出す払出工程と、を備えることを特徴とする。
【発明の効果】
【００３３】
本発明によれば、メダル受入部から受け入れたメダルをメダル貯蔵部へ貯蔵する為に導く第１経路かスロットマシン側へ提供する為に導く第２経路かを選択するメダル導き選択手段を備えるので、メダルを遊技に供するためにスロットマシン側に提供可能とするとともに、メダル貯蔵部へ貯蔵することもできるという効果を奏する。
【発明を実施するための最良の形態】
【００３４】
以下、本発明の最良の実施形態によるメダル払出機、及びメダル払出機のメダル払出方法を、図面を参照して説明する。なお以下例示する実施の形態においては、本発明を実現可能な１の例を例示したに過ぎず、本発明は以下実施の形態に限定されない。
【００３５】
図１は本発明第１実施例におけるメダル払出機を遊技機に隣接させて配置した斜視図である。符号１は本発明のメダル払出機である。符号２はスロットマシンである。本発明のメダル払出機１は、紙幣投入口４、投入現金に対応した度数（有価価値）、貯メダルしたメダルを再び遊技に用いるための再プレー用度数（有価価値）、計数したメダル数、補充したメダル数、排出メダル数等を表示するための液晶表示部５、会員カードまたは非会員カードのカード受入発行口６、再プレー用度数を消費して再プレー用メダルを払い出す指示をする再プレーボタン７、受け入れたメダルを計数する計数ボタン８、投入現金に対応した度数を消費してメダルを貸し出す貸出ボタン９、カード返却ボタン９９、を筺体３の前面１３４側上部に備え、店員の所持するカギによって施解錠可能であり筺体３内部にメダルを補充するため補充扉１０、再プレーボタン７または貸出ボタン９の押圧によりメダルを払い出すノズル１３、ノズル１３を鉛直方向にスライド移動可能に支持する鉛直スライド支持体１１、ノズル１３を水平回動可能に支持する水平回動支持体１２を筺体３を、筺体３の前面中央部に備え、受入口１７から転動するメダルを湾曲路１５、長さ調整通路１４を介して受け入れるための機構を筺体３の前面下部に備える。
【００３６】
また、湾曲路１５には灰皿４５を取り付け可能であり、灰皿４５には煙草の火を消すための格子部４７、蓋４６を備える。後程詳述の如く、灰皿４５の下部は煙草搬送路へ煙草の吸殻を導くことが可能に構成されている。
【００３７】
スロットマシン２は、メダル投入口２４、遊技の結果獲得したメダルを払い出すための払出口１８、スロットマシンの回動式リールを回動させるスタートレバー１９、メダル投入口２４から投入された保留メダル数（最大５０枚迄保留するため投入可能）のうち賭けることが可能な１枚から最大３枚のうち最大３枚のメダルをかけるためのＭＡＸＢＥＴボタン２０、左リール停止ボタン２１、中央リール停止ボタン２２、右リール停止ボタン２２、大当り絵柄を含む種々の絵柄をペイントした回動式リールを収納した回動式リール部２５、下皿４３を備える。
【００３８】
次に図２に基づいて説明する。図２は、スロットマシン２及びメダル払出機１の背面側からみた斜視図である。スロットマシン２の内部には、ホッパー３１と、ホッパー３１に蓄えたメダルを賞として払い出すためのモータ機構３２を備え、ホッパー３１にメダルがいっぱいになるとその上部側のメダルは、満杯メダル排出口２９、満杯メダル通路３０、回収ボックス３３、スロットマシン底部開口部４２、搬送駆動ローラ３５で駆動される無端ベルトで構成された満杯搬送路３４、揚送機４０へ搬送される。
【００３９】
図３は、スロットマシン２及びメダル払出機１を底面側から見た図である。図３に示す如くスロットマシン２の底部開口部４２から落下した満杯メダルは満杯搬送路３４の無端ベルト上面に至り、搬送下流の端部において底部滑り台４１を介して揚送機４０に導かれる。底部滑り台４１の下流下端部には、シャッタ（図示しない）を備え、シャッタは、揚送ベルト３８と揚送機カバー３９の間の隙間が生じる時には閉鎖されてメダルは滑り台４１上に滑落しないで留まり、揚送ベルト３８と揚送機カバー３９の間の隙間が生じないように揚送ベルト３８に取り付けられた籠が存在する場合には、シャッタが開となりメダルは底部滑り台４１上を滑落して籠に導かれる。なお、満杯搬送路３４、揚送機４０は定期的に駆動されるか、またはメダルの侵入を光透過センサにて検知した際に駆動される。
【００４０】
揚送機４０は、揚送駆動ローラ３７のいずれか一方で駆動され、外面にメダルを持ち上げるための籠（図示しない）を備えた無端ベルト３８を揚送するもので、無端ベルト３８の周囲を揚送機カバー３９で覆うように形成され、揚送上部に揚送したメダルを排出するための排出口３６を備える。籠（図示しない）の底はメダル重量に抗して開口しないようばねにより閉塞されているが、揚送上部において無端ベルト３８が揚送ローラ３７に導かれてカーブすると籠（図示しない）の底に設けられた突起と、揚送機カバー３９に設けられた突起と、が当たると揚送メダルが入った籠の底面が開口し、籠の側面の排出口３５に向かっての下方傾斜に導かれて揚送したメダルが排出口３６に導かれる。なお揚送上部において無端ベルト３８が揚送ローラ３７に導かれてカーブすると、籠の底面の開口に向かっての下方傾斜側面の下端部は、揚送機カバー３９より外部側に突出するよう、籠の揚送方向と垂直な方向の上端水平側面の両側に籠上方に突出したアームが無端ベルト３８と回動自在の軸支されている。
【００４１】
またメダル払出機１の背面側において、外部にメダルタンク６２が満杯となった際の上部付近メダルを排出するための滑り台２６を備え、その滑り台２６に導かれた余剰メダルは、さらにメダル払出機の背面口より外部に滑落して外部滑り台２７を介してスロットマシン２の背面側よりホッパー３１に導かれる。
【００４２】
次にスロットマシン２の前面下部側を拡大した斜視図である図４に基づいて説明する。また図４における、断面Ｑ、断面ＳにおけるＡＡ’方向から見た図をそれぞれ図６に示す。図４に示す如く、スロットマシン２の下部側に設けられた下皿４３に隣接して受入口１７を配置する。カウンタ４４の遊技者側への突出がほとんどない場合でも、スロットマシン２の下皿４３の遊技者側側面に、受入口１７に嵌め込まれたフック５３を掛けて、受入口１７を下皿４３に隣接して固定することができる。フック５３は、溝５４に沿って水平スライド可能に溝５４に嵌め込むことができる。溝５４は受入口１７の水平長手方向に沿って上下に２段（場合によっては上下方向に溝５４をさらに増設してもよい）設けられており、スロットマシン２の下皿４３の上端部の高さによらず、受け入れたメダルをメダル払出機１の下方側に設けられた受入口へ、転動滑落可能な傾斜角度となるよう、フック５３の位置を調整できる。
【００４３】
受入口１７は、上に凸にＲをなした曲面５６を有して断面Ｖ字の谷を形成する。下皿４３からメダルをＶ字谷に投入すると、メダルＭは曲面５６に沿って滑落し、谷底５５に下端部が接すると起立する。メダルＭは、図６における断面Ｑの上流側から断面Ｓの下流側へ下方傾斜した谷底５５に沿って転動流下する際、メダルＭの上端部が取り出し可能に露出した状態となる。このようにメダルＭの上端部を取り出し可能に露出させることは、メダル払出機１に至るまでメダル転動通路の上部を開口させると、詰まりが発生したときに取り出し易くて好ましい。なお、受入口１７の遊技者側の壁面は１７１の如く遊技者側へ上端部が突出する形態をとるとメダルＭを１７１側面に沿ってならべられるので見栄えが良いので好ましい。また点線部５７の空間によって、カウンタ４４の遊技者側端部の遊技者側方向や上方向への突出寸法が多少あっても、受入口１７とカウンタ４４が当たらないようにできる。
【００４４】
受入口１７と湾曲部１５の間は転動メダルＭが転動流下可能に若干の段差を有し、受入部１７と湾曲部１５とは上下方向における取り付け位置自在に、湾曲部１５に設けられた上下方向の溝（図示しない）に受入部１７の下流端部に設けられた突起（図示しない）を、上方から受入部１７を嵌入させて接続する。また湾曲部１５の最上流側には、メダル払出機１の収容メダルが満杯になった際にこれ以上の受け入れを禁止するためのソレノイドバルブからなるシャッタ５２が設けられている。
【００４５】
湾曲部１５からメダル払出機１に至る間は、上方が開口した長さ調整通路１４を接続する。長さ調整通路１４は、適宜に現場の寸法に合わせてカットし、適当な寸法とする。長さ調整通路１４は、湾曲部１５側の端部に設けられた上下方向の溝（図示しない）に上方からメダルが転動流下可能に嵌入させ、メダル払出機１側の端部は、水平方向から嵌入して接続する。このように現場の寸法に合わせて長さ調整通路１４の長さを適宜に設定することで、受入口１７は、スロットマシン２の下皿４３の突出寸法に合わせて水平方向に隣接して配置することができる。
【００４６】
図５に示す如く、灰皿４５は、嵌合突起４９を介して湾曲部１５の湾曲内側側面に設けれた穴（図示しない）に嵌合して設置される。灰皿４５は上面の格子部４７、蓋４６、及び上部筺体５１が金属で形成され、下部には厚み内部に空洞のある可撓性耐熱部材４８（格子状のガラス繊維であるガラスクロスまたは不織布に可撓性かつ耐熱性のあるエポキシとかシリコン等の熱硬化性樹脂を含浸させたもの等が例示できる。熱硬化性樹脂には不燃性を高めるためのフィラーとしてカーボン等を混入させてもよい）の空洞部分に金属リング５０を挿入させたものである。金属リング５０のＲ部はオーバーラップしており、既設の吸殻搬送装置に設けられた灰皿の内径に合わせて金属リング５０を嵌めこむことで、可撓制耐熱部材４８のたわみによって、灰皿４５の取り付け位置と上記既設灰皿の取り付け位置のずれを吸収し、吸殻を上記既設灰皿へ落下可能に導く。なお可撓制耐熱部材４８に余剰部分がでる場合は、余剰部分が吸殻の落下を妨げるので、この金属リングの位置をやや上方とし、可撓制耐熱部材４８の下端部は、吸殻の落下を妨げないようカットしてもよいし、外部側に巻いておいてもよい。
【００４７】
なお、灰皿４５の周囲の空間は、掃除のし難い、手が入り難いデッドスペースになるので、煙草の灰で汚れてしまったり、ジュースでベトつくことも考えられるので不衛生である。そこで、灰皿４５の周りの空間である湾曲部１５、長さ調整通路１４、メダル払出機１の前面、スロットマシン２の下皿４３のメダル払出機１側側面で囲まれた空間部を上方から覆う蓋を設けることが好ましい。
【００４８】
次いで図７について説明する。図７は本発明のメダル払出機１を側面方向から見た内部断面説明図である。受入口１７から湾曲部１５、長さ調整通路１４を介して受け入れたメダルを揚送機構６０によって揚送する。揚送機構６０は、リフト機構駆動モータ６４によって駆動するローラによって無端ベルトを回転させて駆動する。無端ベルトにはメダルＭの受け入れ方向から内部方向（図７の中央側）に向かって下方傾斜した搬送突起８３を備え、揚送機構カバー６１で無端ベルトの周囲を覆うように形成される。揚送機構６０の揚送上端部には近接センサＳが設けられ、金属の近接を検知すると透磁率が上昇することを利用して金属の近接を検知する。近接センサＳによって検知されたメダルは、メダル払出機１の制御部によって計数され、制御部は、その計数結果を管理装置１００に通信インターフェース回路を介して送信する。
【００４９】
また揚送機構６０によって揚送されたメダルＭは、矢印Ｕの方向に開口された開口部を介して、搬送突起８３の下方傾斜面と、揚送機構カバー６１の側面と、及び無端ベルト側面に沿って、矢印Ｕの方向に転動流下してメダルタンク６２内に収容される。
【００５０】
メダルタンク６２内に収容されたメダルＭは、後程詳述する貸出ボタン９押圧等の指示に従って払出用モータ６５を駆動して払出用ノーズ６３を介して、ノズル１３から機外に放出される。また補充用メダルは、補充扉１０を開いて投げ入れて補充され、補充樋５８を滑落してメダルタンク６２の中央部に導かれるが、補充メダル数を特定するために、補充用メダルは受入部１７、６７、６８を介して計数機構Ｓ、７０によって計数された後メダルタンク６２に収容されるようにしてもよい。補充扉１０からメダルを補充する際には、メダルタンク６２の底部に重量センサを設けて補充数、内蔵メダル総量を把握してもよい。把握した補充数、内蔵メダル総量は液晶表示部５に指示に従って表示する。
【００５１】
また補充用メダルは、島内メダル供給搬送路６６、揚送機４０を介してメダル払出機１の背面側より補充してもよい。なお島内メダル供給搬送路６６を用いる場合には、背面導入樋７３を介してメダルタンク６２に収容するが、メダルタンク６２が満杯の場合にはシャッタ８８によってメダルタンク６２への流下を阻止することができる。また島内メダル供給搬送路６６、揚送機４０は併用しても、別個に用いてもよいが、併用する場合排出口３６は図２よりさらにメダル払出機１の背面側において上方に大きく開口し、その上方の大きく開口した部分からメダル供給搬送路６６から補充用メダルを受け入れる。
【００５２】
次にメダルタンク６２が満杯になった場合について説明する。島内メダル供給搬送路６６を備える場合には、排出樋５９から島内メダル供給搬送路６６へ余剰メダルを排出する。島内メダル供給搬送路６６を備えず、メダル払出機１及びスロットマシン２の底面側に満杯搬送路３４、及びメダル払出機１の背面側に揚送機４０を備える場合には、排出樋５９と同様の滑り台２６から外部滑り台２７を経由してスロットマシン２に内蔵されるホッパー３１にメダルを提供するようにしてもよい。またシャッタ８９を開口し、メダルタンク６２における底部排出樋９０上を、メダルを滑落させて外部の下部排出口９１から外部へ排出するようにしてもよい。なおメダルタンク６２が満杯になったことの検出は、メダルホッパーの排出樋５９の上端付近に設けられた近接センサによりなされる。
【００５３】
次に第２、第３の実施の形態として、遊技者がスロットマシン２の下皿４３に貯えた賞メダルを手で受入口６７、６８に運んで入れるタイプのメダル払出機１を説明する。図８及び図９は、それぞれ、第２の実施の形態、第３の実施の形態としての、メダル払出機１の斜視図である。図８における筺体３前面１３４側に設けられた受入口６７においては、遊技客がスロットマシン２の下皿４３に貯えた賞メダルを手で受入口６７に運んで入れる。
【００５４】
図９においては遊技客がスロットマシン２の下皿４３に貯えた賞メダルを手でメダル箱６９に入れて、メダル箱６９（メダル収容器の1種である）をメダル箱嵌合構造を備えた受入口６８（筺体３前面１３４側に設けられ、筺体３前面１３４に対し垂直な方向に進退するメダル留め部である）に設けられたにメダル箱嵌合部１２０、１２１に、メダル払出し機１前面方向に向かってスライドさせて挿入嵌合させ、次いで受入口６８とメダル箱６９をメダル払出機１の前面に対し垂直な方向を回転軸として回転させて（動作機構であり回転手段である）、メダル箱６９が逆さになると、メダル箱６９内のメダルが受入口６８の底面に沿って滑落し、図１０（図１０は本発明のメダル払出機１を側面方向から見た内部断面説明図である。）における計数機構７０に導かれ、計数機構７０で計数されたメダルはメダルタンク６２へ図示された矢印の方向へ落下して収容される。なお受入口６８は、筺体３前面１３４に対し垂直な方向に進退自在であり、退くことで人間の体などに接触して邪魔になることを防止し、進出することで大きなメダル箱６９の上面開口部を覆い、上記の如く回転させても収容したメダルがこぼれてしまわないようにメダル箱６９を留めることができる。
【００５５】
計数機構７０は、特公昭６３−３６０４０公報記載の円筒径内を回転するディスクにメダルを受け入れるメダル受入孔を設け、ホッパー底部に設けられた固定されたガイドピンであって、ディスクが回転するとディスク下面側であってディスク回転軌道上に設けられた切欠部をガイドピンが通過するよう構成され、メダル受入孔に受け入れたメダルがガイドピンに導かれ、円筒径内外延に設けられた排出口から１枚毎に排出するよう構成された整列手段を備える。整列手段によって整列させたメダルを近接センサによって１枚毎に検知して計数する。また上記ディスクを挟持し、ディスクの上面側の一部、下面側の全部を覆うよう研磨部材（金属ブラシ等）を配設して、メダルと研磨部材のディスク回転に伴う接触によってメダルの汚れが除去される。
【００５６】
なお図１０における１３、５９、６２、６３、６５、６６、７３、８８、８９、９０、９１は図７と同様である。
【００５７】
次いで本発明を応用した実施の形態を図１１から図１３に基づいて説明する。図１１は第４の実施の形態であり、本発明第１実施例を応用したメダル払出機１を遊技機に隣接させて配置した斜視図である。図１２は揚送機構７４の拡大した斜視図である。図１３は、図１２における断面ＴのＷＷ’視である。図１１における揚送機構７４はメダル払出機１の前面側外面に着脱自在に取り付けられ、無端ベルト７５をモータ８７で駆動される駆動ローラ８６で回動駆動される。また無端ベルト７５は図示しないフリーローラで下方端が回動自在に軸支される。また図１１における筺体３前面１３４に、ボタン類を配置した上部が開口可能に引き出し可能な開口パネル１６５を備え、メダル払出機１のメダル貯蔵部６２内にメダルが不足したことをメダル量センサにより通知された場合、店員が開口パネル１６５を開いてメダルをメダル貯蔵部６２に補充できる。開口パネル１６５の裏面にはボタン入力ＩＦ回路の基板が搭載され、当該基盤の裏面は被覆されメダルの補充時にメダルがＩＤ回路に直接触れることもない。
【００５８】
揚送機構７４は、透明な樹脂で形成された断面長方形の直方体形状のスペース７４２、７４３を含んだカバー体７４１に、無端ベルト７５が覆われ、無端ベルト７５がカバー体７４１内の前記スペース７４２、７４３内を上下方向に回動可能に構成される。また無端ベルト７５には図７における揚送機構６０における搬送突起８３と同様のものが設けられ、搬送突起８３とカバー体７４１内のスペース７４２側壁の間の隙間をメダル１枚の厚みより小さく、無端ベルト７５のベルト側面と前記スペース７４２側壁の間の隙間をメダル１枚の厚みよりやや大きく構成することで、メダルがその隙間から落ちてしまわないようにすることができる。そしてカバー体７４１が透明な樹脂で形成されるので、遊技客が獲得したメダルについての揚送機構７４による揚送過程及びその後の経路が視認でき、遊技客がホールに搬送中のメダルを取られてしまう懸念を持たれることもない。
【００５９】
無端ベルト７５の下端部における長さ調整通路１４から転動流下したメダルは、無端ベルト７５表面に設けられた搬送突起８３の上に位置して、無端ベルト７５の揚送に伴って揚送される。計数ボタンが１回押されると計数モードに移行する。計数モードに設定される場合、ソレノイド８５から突出部８４が、搬送突起８３とカバー体７４１内のスペース７４２側壁の間の隙間に揚送されたメダルを、メダル払出機１の筺体３前面に穿設された穿設口７７に導くよう斜めに７６の状態で突出するとともに穿設口７７のシャッタが開口し、揚送されたメダルは突出部７６に導かれて穿設口７７を経由してメダルタンク６２内に収容される。なお計数モードに設定される場合、計数機構は突出部７６の下方側のカバー体７４１の側面に近接センサＳが取り付けられており、１枚毎に計数可能である。計数モードは、計数したメダルが所定時間（例えば１５秒）計数が中断すると計数モードを脱し、通常の払出モードに移行する。またなお計数モード以外のモードにおいてはソレノイド８５が作動して突出部が８５の状態となり、穿設口７７に設けられたシャッタは閉塞状態をとる。
【００６０】
なお、メダル導き選択手段として、筺体側へ１枚毎に転動流下するメダルを筺体３前面１３４下側に導く。また、無端ベルト７５で構成されるコンベアリフト上には、転動メダルをその姿勢のままメダル外縁部を乗せるための搬送突起８３を有し、その突起８３は筺体前面側が下側に、筺体前面側と反対側の転動メダル上流側が上側になるよう斜めに傾斜させて構成させている（このように傾斜させればソレノイド８５が必要ない）。そして無端ベルト７５を、リフト方向に垂直な四方を覆う通路７４１内に配置する。計数モードにおいては、無端ベルトによってメダルをリフト中に、メダル外縁部と接する筺体前面１３４に開口された穿設口７７を開閉するシャッタ７７ａを制御部１０３Ｐに制御されて開口すると、穿設口７７から落下したメダルが内部のメダル貯蔵部６２（メダルタンク）へ落下して至ることができる。またスロットマシンへのメダル投入モードである旨のボタン（図示せず）が押された場合、制御部１０３Ｐに制御されて当該シャッタ７７ａを閉じると、メダルを無端ベルト７５によってリフト後傾斜面８０に至れり、傾斜面８０を介して開口７９に導いた後、開口７９から落下したメダルをスロットマシン側であるネット８１ｂに導くことができる。（Ｄ案）
【００６１】
通常の払出モードの状態で、即投入ボタン９９９が１回押されると即投入モードに移行する。即投入モードの場合、ソレノイド８５の突出部が８４の状態となり筺体３に引っ込み、無端ベルト７５がスペース７４２から上方の広い空間部に抜けるとメダル載置面が下向きとなるよう駆動ローラ８６を配置されているので、無端ベルト７５によって揚送されたメダルは、傾斜面８０に落下し、開口７９からネット８１ｂに滑落して蓄積される。なお即投入モードは所定時間（例えば１５秒）近接Ｓがメダルを検知しない場合に即投入モードを脱し、通常の払出モードに移行する。
【００６２】
通常の払出モードは、紙幣投入口４に紙幣が投入されるか、またはカード受入発行口６に会員カードまたは非会員カードを受け入れると設定される。そしてカード返却ボタン９９が押されて、投入紙幣分の有価価値（度数）または計数した獲得メダル数、が付与された会員カードまたは非会員カードが排出されると通常の払出モードを脱し、待機状態となる。
【００６３】
通常の払出モードにおいては、貸出ボタン９が押されれば、所定数の度数が消費されて消費された度数分のメダルがメダルタンク６２から払出用モータ６５を駆動して払出用ノーズ６３を介して、払出口７８から払い出される。また通常の払出モードにおいては、再プレーボタン７が押されれば、所定数の貯メダルまたは持ちメダルが消費されて消費されたメダルがメダルタンク６２から払出用モータ６５を駆動して払出用ノーズ６３を介して、払出口７８から払い出される。そして払い出されたメダルは、傾斜面８０に落下し、開口７９からネット８１ｂに滑落して蓄積される。なお持ちメダルとは、再プレー手数料がかからないことを前提とした当日分の計数メダル数であり、貯メダルとは再プレー手数料がかかることを前提とした前日以前の計数メダル数である。持ちメダル及び貯メダルは、夫々別個の再プレー手数料を設定できるが、おそらくホールは持ちメダルについて、運用上の選択事項として再プレー手数料をかけない。
【００６４】
なお、ネット８１ｂは針金状の滑落するメダルを下側を落ちないようにサポートする斜め下方に導くガイドであり、メダル投入口２４に隣接して配置され、メダル投入口２４の積層メダル載置面とネット８１ｂの傾斜角が略一致するよう設定される。このようにネット８１ｂを構成することで、遊技客がネット８１ｂに積層されて蓄積したメダル複数を任意に掴んでメダル投入口２４に入れやすくする。
【００６５】
なお、図７及び図１３に示す如く、近接センサＳの近傍には、揚送メダルの片面全体を回転させて研磨する回転研磨部７５１及び回転研磨部７５１を回転駆動するための回転研磨モータ７５２を揚送機構カバー６１やカバー体７４１に備え、近接センサＳが揚送メダルを検知すると回転研磨モータ７５２を駆動して回転研磨部７５１を回転させる。回転研磨部７５１は交換可能とするため、回転研磨モータ７５２に対して着脱可能である。回転研磨部７５１の回転方向は、揚送されるメダルを下方に押し付ける方向に回転させ、揚送されメダルは、搬送突起８３の下支えがあるので、回転研磨部７５１により下方に圧迫される力を受けてもメダル自体は変わらず揚送可能である。回転研磨部７５１は、金属ブラシ等が好ましく、金属ブラシ先端が揚送されるメダル表面に当接する位置に無端ベルト方向に揚送機構カバー６１やカバー体７４１から望む。また回転研磨によりメダルから落ちた汚れは、スペース７４２を落下して下方端に配置された皿に落ちる。皿は外部より取り出して汚れを皿から取り除くことができる。
【００６６】
次に図１４に基づき本発明のメダル払出機１を採用した管理システムを説明する。当該管理システムは、接続機器間で相互に通信可能なネットワーク１０１に、管理装置１００、島コントローラ１０２が接続されている。また、メダル払出機１に隣接した複数の島内メダル供給搬送路６６にメダル搬送通路１０５を介してメダルを提供し、これらメダル供給のためのメダル供給装置１０４が必要に応じて接続される。なおメダル搬送通路１０５は島間に渡って設けることもできる。またメダル供給装置１０４にはメダルを洗浄する機能も有する。
【００６７】
管理システムにおいては、主に、各メダル払出機１に内蔵するメダル数量、メダル払出機１とスロットマシン２の各セットに内蔵するメダル合計数量を管理し、特定のメダル払出機１に内蔵するメダル数量、メダル払出機１とスロットマシン２の特定のセットに内蔵するメダル合計数量が少ない場合または多い場合、そのメダル払出機１、またはスロットマシン２へメダルを補充または取り去りすることを目的に、内蔵メダル数量の少ないまたは多いメダル払出機１、メダル払出機１とスロットマシン２の特定のセットのナンバー等の特定情報とともに報知する。またパチンコホールにとって人件費削減等の営業上の必要に応じて設けられる島内メダル供給搬送路６６、メダル搬送通路１０５、メダル供給装置１０４を備える場合には、内蔵メダル数量の少ないメダル払出機１、メダル払出機１とスロットマシン２の特定のセットに、メダル供給装置１０４からメダル搬送通路１０５と島内メダル供給搬送路６６を介して、メダル払出機１、またはスロットマシン２へメダルを補充し、内蔵メダル数量の多いメダル払出機１、メダル払出機１とスロットマシン２の特定のセットから、メダル供給装置１０４へ、メダル搬送通路１０５と島内メダル供給搬送路６６を介して、メダル払出機１、またはスロットマシン２からメダルを取り去る。
【００６８】
メダル供給装置１０４は、装置内にメダル搬送通路１０５からメダルを受け入れると、無端ベルトに籠を設けたリフトによって揚送し、揚送後に上下２段からなる略水平方向に搬送する下側無端ベルトにメダルを配置させ、その状態でメダルを下側無端ベルトの搬送方向に搬送させると、メダルは下側無端ベルトと異なる方向に回転駆動する上側無端ベルトに挟持される。上側無端ベルトと下側無端ベルトとに挟持されてメダルが下側無端ベルトの搬送に伴い下側無端ベルトから滑落すると、貯蔵タンクに一旦ストックする。貯蔵タンクに貯蔵されたメダルは、既述のディスク型整列機構により搬送通路１０５に排出される。
【００６９】
搬送通路１０５は、島内及び各島間に渡ってメダルを搬送する無端ベルトの組み合わせからなる通路であって、各スロットマシン２に隣接して設置されるメダル払出機１の背面側に設けられた各島内メダル供給搬送路６６（トンネル形状）にメダルを搬送する。
【００７０】
島内メダル供給搬送路６６は、搬送通路１０５を覆うトンネル形状であり、メダル払出機１やスロットマシン２にメダルを供給する場合には、シャッタ８８を開として、搬送通路１０５の無端ベルト上面において、背面導入樋７３へメダルを導くためのガイドを、ガイド先端側が搬送通路１０５上流側に臨むように突出させ、メダル払出機１またはスロットマシン２側のガイド後端側が搬送通路１０５の下流側に位置させる。またメダル払出機１またはスロットマシン２の余剰メダルは、搬送通路１０５へ、排出樋５９を介し滑落させる。
【００７１】
まず、島内メダル供給搬送路６６、メダル搬送通路１０５、メダル供給装置１０４、を備える場合について説明する。管理装置１００は、通信インターフェース回路（以後インターフェース回路をＩＦと呼ぶ）を介して島コントローラ１０２に中継されて受信した各メダル払出機１、またはメダル払出機１とスロットマシン２の各セットにおける内蔵メダル数量データを監視し、第４の所定量（重さや数や所定容器に彫像されるメダル量に対応した所定位置におけるメダル有無を示す情報等）を下回ったメダル払出機１、及びメダル払出機１とスロットマシン２の各セットをピックアップすると、そのメダル払出機１を特定する情報（台番号等）を、メダル供給装置１０４に送信する。するとメダル供給装置１０４は、メダルをメダル搬送通路１０５に排出するとともに、メダル払出機１を特定する情報に対応したメダル払出機１の背面に設けられた島内メダル供給搬送路６６に対し、シャッタ８８を開として、搬送通路１０５の無端ベルト上面に背面導入樋７３へメダルを導くためのガイドを、ガイド先端側が搬送通路１０５上流側に臨むように突出させ、メダル払出機１またはスロットマシン２側のガイド後端側が搬送通路１０５の下流側に位置させ、搬送通路１０５からメダルをメダル払出機１に取り込む。なおここで、各所定量としては、第３の所定量（メダル払出機１及びスロットマシン２に内蔵するメダル量の和が多すぎ払い出し不能の恐れある危険量）＞第２の所定量（メダル払出機１に内蔵するメダルが多すぎ払い出し不能の恐れある危険量）＞第１の所定量（メダル払出機１に内蔵するメダルが満杯に近い）＞第５の所定量（メダル払出機１に内蔵するメダルが満杯と空の中間量であり平均値よりやや多い方が補充頻度を少なくできて通常のメダル貸出を中断しないのでよい）＞第４の所定量（メダル払出機１に内蔵するメダルが空に近い）とするようにプログラム上、及び／または、機構上設定されるようにするとよい。
【００７２】
また、管理装置１００は、通信インターフェース回路（以後インターフェース回路をＩＦと呼ぶ）を介して島コントローラ１０２に中継されて受信した各メダル払出機１、またはメダル払出機１とスロットマシン２の各セットにおける内蔵メダル数量データを監視し、必要量のメダルに収容し終えたメダル払出機１、及びメダル払出機１とスロットマシン２の各セットをピックアップすると、島内メダル供給搬送路６６に対し、シャッタ８８を閉として、搬送通路１０５の無端ベルト上面に背面導入樋７３へメダルを導くためのガイドを、搬送通路１０５上から上方に移動させて、メダルとガイドが当接しないようにする。
【００７３】
なお、このように島内メダル供給搬送路６６、メダル搬送通路１０５、メダル供給装置１０４、を備える場合には、管理装置１００は電源ＯＮの際、島コントローラの中継で各メダル払出機１に通信ＩＦを介して「自動補充モード」である旨を通知する。するとメダル払出機１は、「自動補充モード」であれば、補充のために払出や計数を禁止する必要がないので、後程詳述する補充モードへの移行を行わない。この場合、常にメダル払出機１は既述の待機モード、払出モード、または計数モード、に移行する。なお島内メダル供給搬送路６６、メダル搬送通路１０５、メダル供給装置１０４、を備える場合、メダル払出機１、またはメダル払出機１とスロットマシン２の各セットにおける内蔵メダル数量が多すぎる場合には、排出樋５９から島内メダル供給搬送路６６へ余剰メダルが排出されるので、余剰メダルを排出する排出モードに移行する必要はない（ステップＳ１０６）。
【００７４】
島内メダル供給搬送路６６、メダル搬送通路１０５、メダル供給装置１０４、を備えない場合について説明する。管理装置１００は、通信ＩＦを介して島コントローラ１０２に中継されて受信した各メダル払出機１、またはメダル払出機１とスロットマシン２の各セットにおける内蔵メダル数量データを監視し、第４の所定量（重さや数や所定容器に彫像されるメダル量に対応した所定位置におけるメダル有無を示す情報等）を下回ったメダル払出機１、及びメダル払出機１とスロットマシン２の各セットをピックアップすると、店内インカムに音声で台番号とその台番号のメダル払出機１にメダルを補充するよう通知し、そのメダル払出機１を特定する情報（台番号等）に対応するメダル払出機１に島コントローラ１０２を中継して通信し、補充モードになる旨の情報を送信する。するとメダル払出機１は、上記「自動補充モード」でなければ、強制的の補充モードとなり、遊技者による計数モード、及び払出モードへの移行は禁止される（ステップＳ１０５）。
【００７５】
やがて店員によってそのメダル払出機１へのメダルの補充がなされ、メダル払出機１の制御部１０３Ｐが、センサＩＦを介して、メダル払出機１のメダルタンク６２のメダル重量や、補充に際して計数機構７０や近接センサＳを介して１枚毎に補充した場合にはその補充メダルの数量が充足にたる第４の所定量より大きい充分営業可能な状態である第５の所定量（重さや数や所定容器に貯蔵されるメダル量に対応した所定位置におけるメダル有無を示す情報等）となったことを検知すると、管理装置１００に島コントローラ１０２を介して通信ＩＦよりその旨を送信する。すると管理装置１００の制御部は補充が終了した旨の通知を、インカムを介して音声にて行い、当該メダル払出機１に島コントローラ１０２の中継により通信ＩＦを介して補充モード終了の旨を通知する。メダル払出機１はその補充モード終了の旨を受けて、カード受入発行口６にカードがあれば通常の払出モードに移行して計数モードに移行可能とし、カードがなければ待機状態に移行する（ステップＳ１０５）。
【００７６】
また島内メダル供給搬送路６６、メダル搬送通路１０５、メダル供給装置１０４、を備えない場合、管理装置１００は、通信ＩＦを介して島コントローラ１０２に中継されて受信した各メダル払出機１、またはメダル払出機１とスロットマシン２の各セットにおける内蔵メダル数量データを監視し、第５の所定量（重さや数や所定容器に貯蔵されるメダル量に対応した所定位置におけるメダル有無を示す情報等）より大きい第１の所定量を上回ったメダル払出機１、及びメダル払出機１とスロットマシン２の各セットをピックアップすると、店内インカムに音声で台番号とその台番号のメダル払出機１に余剰メダルを取り去るよう通知し、そのメダル払出機１を特定する情報（台番号等）に対応するメダル払出機１に島コントローラ１０２を中継して通信し、排出モードになる許可を与える旨の情報を送信する。するとメダル払出機１の制御部１０３Ｐは、上記「自動補充モード」でなければ、かつ排出モードになる許可を受けていれば、店員によるリモコンにより排出モードが設定されると、遊技者による計数モード、及び払出モードへの移行は禁止され、メダル払出機１の前面側の払出口７８や、ノズル１３から内蔵メダル数量が第１の所定数と第４の所定数の中間程度の第５の所定数となるまで余剰メダルが排出され、第５の所定数になると排出モードが終了する旨の通知を管理装置１００から行うとともに、制御部１０３Ｐは、液晶表示部５に表示ＩＦを介して排出モード終了の表示を行い、店員がリモコンの了解ボタンを押すと、カード受入発行口６にカードがあれば通常の払出モードに移行して計数モードに移行可能とし、カードがなければ待機状態に移行する（Ｓ２００）。
【００７７】
なお、メダル払出機１の制御部１０３Ｐは、ノズル１３の位置センサからの信号をセンサＩＦから入力し、ノズル１３の位置がスロットマシン１の下皿４３に位置していた場合、当該位置を脱する迄、管理装置１の制御部に通信ＩＦを介して島コントローラ１２より指示して、その指示を通信ＩＦを介して受けた管理装置１の制御部が、インカムを通じて、○○番台のノズルをスロットマシンの下皿から外してください、と放送し続ける（ステップＳ１０５）。なお管理装置１００の制御部は、計数処理中、補充処理中にメダルタンク６２に内蔵するメダル数（島コントローラ１０２を経由して通信ＩＦを介し制御部が受信した値）が第５の所定量（重さや数や所定容器に彫像されるメダル量に対応した所定位置におけるメダル有無を示す情報等）を超えたか否かを判定し、超えたと判定した場合には、直にメダル計数処理または補充処理を停止する旨の情報を、メダル払出機１に通信ＩＦを介して、島コントローラ１０２の中継により通知し、メダル払出機１は当該通知に基づき計数処理、補充処理を停止する（Ｓ２００）。
【００７８】
次に図１４に示す各装置のハードウェア構成を説明する。管理装置１００は、制御部を内蔵し、制御部はＣＰＵ、プログラムを記憶する半導体ハードディスク、一時的な演算結果を記憶するＲＡＭで構成される。また管理装置１００は、島コントローラ１０２及びメダル供給装置１０４と通信するための通信ＩＦを備える。また管理装置１００は、ネットワーク上の１乃至複数の管理装置（例えばカード管理装置、景品管理装置、台毎メダル量管理装置、等）で構成して、管理装置で行うＪＯＢを分散して実行させてもよいし、勿論１の管理装置で構成してもよい。
【００７９】
島コントローラ１０２は、制御部を内蔵し、制御部はＣＰＵ、プログラムを記憶する半導体ハードディスク、一時的な演算結果を記憶するＲＡＭで構成される。また島コントローラ１０２は、管理装置１００、メダル払出機１及びメダル供給装置１０４と通信するための通信ＩＦを備える。
【００８０】
メダル供給装置１０３は、既述の機械機構に加え、制御部を内蔵し、制御部はＣＰＵ、プログラムを記憶する半導体ハードディスク、一時的な演算結果を記憶するＲＡＭで構成される。またメダル供給装置１０３は、管理装置１００、島内メダル供給搬送路６６と通信するための通信ＩＦを備える。
【００８１】
またメダル払出機１は、既述の機械機構に加え、制御部１０３Ｐを内蔵し、制御部１０３ＰはＣＰＵ、プログラムを記憶する半導体ハードディスク、一時的な演算結果を記憶するＲＡＭで構成される。またメダル払出装置１には島コントローラ１０２と通信するための通信ＩＦ、カードリーダライタ及び制御部１０３Ｐとカードリーダライタが通信するためのカードリーダライタＩＦ、紙幣識別装置及び制御部１０３Ｐと紙幣識別装置が通信するための紙幣識別ＩＦ、各ボタンの押圧を制御部１０３Ｐが検知するためのボタンＩＦ、液晶表示部５及び制御部１０３Ｐが通信するための表示ＩＦ、計数機構Ｓや７０などからの出力を受けるための電気的特性（例えばインピーダンス変換等）変換するセンサＩＦ、各種モータを制御するモータＩＦを備える。
【００８２】
次に図１５に基づいて、管理装置１００についてのフローチャートを説明する。まず図示しない朝一番における電源投入時において、管理装置１００の制御部は、パワーオンで起動するリセット割り込み処理において、設定された「自動補充モード」または「非自動補充モード」である旨の情報を、通信ＩＦを介して島コントローラ１０２に中継させて各メダル払出機１に送信する。
【００８３】
次いでリセット割込処理において半導体ハードディスクからＲＡＭにプログラムが移行されるとともにＲＡＭのプログラム先頭アドレスにジャンプして先頭アドレスに記憶されたメインルーチンが起動され、以降Ｓ１００からリターン迄を繰り返す。Ｓ１００では、各メダル払出機１が行った各モードにおける、払出モード時のメダルの払い出し数量である払出数、計数モード時のメダルを計数した累積値である計数値、補充モード時の不足メダルの補充を行った補充数、排出モード時の余剰メダルの排出を行った排出数、メダル払出機１に内蔵される第１の総量メダル数、メダル払出機１およびスロットマシン２に内蔵される第２総量メダル数、カードリーダライタのリーダライタ部に受け付けているカードＩＤ情報、ＯＵＴ（賞として払い出されるメダル数）、ＩＮ（遊技のために投入されたメダル数）、台番号を、各メダル払出機１の制御部１０３Ｐにより通信ＩＦを介して、島コントローラ１０２に中継されて、管理装置１００の通信ＩＦを介して管理装置１００の制御部が受信する。
【００８４】
管理装置１００の制御部は受信した前記払出数、計数値、補充数、排出数、第１の総量メダル数、第２の総量メダル数、ＩＮ、ＯＵＴ、ＩＮとＯＵＴの差、時刻、カードＩＤ情報、台番号、島番号、遊技機機種をカードＩＤ情報、台番号、島番号、遊技機機種に対応して半導体ハードディスクの所定の領域に記憶し、指示に従い、所定期間の集計結果、履歴データを、ホール全体、台毎、登録した同じ遊技台グループ毎、島毎、カードＩＤ毎、会員毎に表示モニタに表示したり、印刷することができる（ステップＳ１００）。
【００８５】
次に各メダル払出機１が何のモードなのか、即ち、払出モード、計数モード、補充モード、排出モード、自動補充モード、非自動補充モード、第４の実施の形態の場合には、即投入モードの各モードである旨の情報を、各メダル払出機１の制御部１０３Ｐから通信ＩＦを介して、島コントローラ１０２に中継させて、管理装置１００の制御部が、通信ＩＦを介して受信する（ステップＳ１０１）。
【００８６】
次にステップＳ１００で受けた各パラメータにより出入りするメダル数は全て把握できるので、各メダル払出機１に内蔵される総量メダル数（ステップＳ１０２）、各メダル払出機１とスロットマシン２のセットに内蔵される総量メダル数を計算する（ステップＳ１０３）。尚、ステップＳ１００で受信した総量メダル数と異なる場合（重量センサでメダル数を検知する場合は大きく異なる場合）、当該台番号のメダル払出機１が故障である旨あるいは故障確認を行う旨の指示を出す。
【００８７】
ステップＳ１０４においては島内メダル供給搬送路６６、メダル搬送通路１０５、メダル供給装置１０４、を備える「自動補充モード」である場合ステップＳ１０６に移行し、島内メダル供給搬送路６６、メダル搬送通路１０５、メダル供給装置１０４、を備えない「非自動補充モード」である場合ステップＳ１０５に移行する（ステップＳ１０４）。
【００８８】
ステップＳ１０５は、上記既述の通りである（ステップＳ１０５）。ステップＳ１０５終了後はリターンしスタートに戻る。
【００８９】
ステップＳ１０６は、上記既述の通りである（ステップＳ１０６）。ステップＳ１０５終了後はリターンしスタートに戻る。
【００９０】
次に図１６に基づいて、メダル払出機１の制御部１０３Ｐで実行されるフローチャートを説明する。まず図示しない朝一番における電源投入時において、パワーオン時に起動するリセット割込処理により、メダル払出機１の制御部１０３Ｐは、管理装置１００の制御部から、設定された「自動補充モード」または「非自動補充モード」である旨の情報を、通信ＩＦを介して島コントローラ１０２に中継させて受信し、一旦待機モードをとる。次いでリセット割込処理において半導体ハードディスクからＲＡＭにプログラムが移行されるとともにＲＡＭのプログラム先頭アドレスにジャンプして先頭アドレスに記憶されたメインルーチンが起動され、以降Ｓ２００からリターン迄を高速に繰り返す。
【００９１】
まず制御部１０３Ｐは、ステップＳ２００のモードの設定において、現金の投入が紙幣投入口４になされるか、またはカードの投入がカード受入発行口６になされたことを、夫々、カードリーダライタＩＦ、紙幣識別ＩＦを介して検知すれば払出モードに設定する。なお現金の投入がなされ、カードリーダライタ内におけるリーダライタ部に、読み取り可能なカードないことを、カードリーダライタＩＦを介して制御部１０３Ｐが検知した場合、複数の非会員カードが発行可能に貯留される貯留部から取り出してリーダライタ部へ搬送され投入現金分の有価価値を、発行した非会員カードＩＤに基づいてカード管理装置に記憶する。そして遊技の結果有価価値（度数）がなくなったことを、カードリーダライタＩＦを介して制御部１０３Ｐが検知すれば、待機モードに設定する。非会員カードに有価価値が残った状態、または会員カードがリーダライタ部に存在することをリーダライタＩＦを介して制御部１０３Ｐが検知する場合、カード返却ボタン９９が押されたことをボタンＩＦを介して制御部１０３Ｐが検知すれば、これら非会員カードと会員カードをカードリーダライタから外部に排出し、待機モードに移行する（ステップＳ２００）。
【００９２】
また制御部１０３Ｐは、ステップＳ２００のモード設定において、払出モード中に、計数ボタン８が押されたことをボタンＩＦを介して制御部１０３Ｐが検知すれば、計数モードに移行し、計数機構Ｓ、７０からセンサＩＦを介して制御部１０３Ｐが所定時間（１５秒）検知しない場合には、計数モードから再び払出モードに移行する。なお、既述の「非自動補充モード（６６、１０４、１０５がない）」でありかつ補充モード中、または排出モード中は計数ボタン８がおされても計数モードへは移行しない。既述の「自動補充モード（６６、１０４、１０５がある）」であれば勝手に補充されて排出されるため払出モードから計数モードへの移行は行ってもよい（ステップＳ２００）。またいかなるときにもメダルタンク６２に第１の所定量（（重さや数や所定容器に貯蔵されるメダル量に対応した所定位置におけるメダル有無を示す情報等）または他の所定数）を超える多量のメダルが存在するときには、計数モードへは移行しない。
【００９３】
また制御部１０３Ｐは、ステップＳ２００のモード設定において、既述の「非自動補充モード（６６、１０４、１０５がない）」でありかつ管理装置１００を備える場合、管理装置１００から通信ＩＦを介して、島コントローラ１０２に中継されて、補充モードとする旨の指示を受けた場合、補充モードに移行する。また既述の「非自動補充モード（６６、１０４、１０５がない）」でありかつ管理装置１００がない場合、制御部１０３Ｐは、メダルタンク６２に内蔵されるメダル数が第４の所定量（重さや数や所定容器に貯蔵されるメダル量に対応した所定位置におけるメダル有無を示す情報等）以下となったことをセンサＩＦを介して検知した場合、補充モードに移行する。
【００９４】
補充モードから通常の払出モードへの移行は、制御部１０３Ｐが、センサＩＦを介して入力したメダルタンク６２に内蔵されるメダル数が第１の所定量（重さや数や所定容器に貯蔵されるメダル量に対応した所定位置におけるメダル有無を示す情報等）と後述する第４の所定量（重さや数や所定容器に貯蔵されるメダル量に対応した所定位置におけるメダル有無を示す情報等）の中間の第５の所定量（重さや数や所定容器に貯蔵されるメダル量に対応した所定位置におけるメダル有無を示す情報等）となったことをピックアップした際に、補充完了を表示ＩＦを介して液晶表示部５に表示し、その了解がリモコンより受信された場合に行われる。なお補充モードにおいては、計数モード、排出モードへの移行は行われない。また既述の「自動補充モード（６６、１０４、１０５がある）」であれば勝手に補充されて排出されるため補充モードへの移行は行われない（ステップＳ２００）。またいかなるときにもメダルタンク６２に第１の所定量（（重さや数や所定容器に貯蔵されるメダル量に対応した所定位置におけるメダル有無を示す情報等）または他の所定数）を超える多量のメダルが存在するときには、補充モードへは移行しない。
【００９５】
また制御部１０３Ｐは、ステップＳ２００のモード設定において、既述の「非自動補充モード（６６、１０４、１０５がない）」でありかつ管理装置１００を備える場合、管理装置１００から通信ＩＦを介して、島コントローラ１０２に中継されて、排出モードとする旨の指示を受けた場合、排出モードに移行する。
【００９６】
また既述の「非自動補充モード（６６、１０４、１０５がない）」でありかつ管理装置１００がない場合、制御部１０３Ｐは、メダルタンク６２に内蔵されるメダル数が第４の所定量（重さや数や所定容器に貯蔵されるメダル量に対応した所定位置におけるメダル有無を示す情報等）より大きい第１の所定量（重さや数や所定容器に貯蔵されるメダル量に対応した所定位置におけるメダル有無を示す情報等）以上となったことをセンサＩＦを介して検知した場合、排出モードに移行する。排出モードから通常の払出モードへの移行は、メダルタンク６２に内蔵されるメダル数が第１の所定量（重さや数や所定容器に貯蔵されるメダル量に対応した所定位置におけるメダル有無を示す情報等）と後述する第２の所定量（重さや数や所定容器に貯蔵されるメダル量に対応した所定位置におけるメダル有無を示す情報等）の中間の第５の所定量（重さや数や所定容器に貯蔵されるメダル量に対応した所定位置におけるメダル有無を示す情報等）となって、排出完了を液晶表示部５に表示し、その了解がリモコンより受信された場合に行われる。なお排出モードにおいては、計数モード、補充モードへの移行は行われない。また既述の「自動補充モード（６６、１０４、１０５がある）」であれば勝手に補充されて排出されるため排出モードへの移行は行われない（ステップＳ２００）。
【００９７】
次に制御部１０３ＰはステップＳ２０１において、ステップＳ２００において設定したモードが何かを判定する。待機モードであればリターンしてスタートに戻る。計数モードであればステップＳ２０1の計数処理を実行し、払出モードであればステップＳ２０３の払出処理を実行し、補充モードであればステップＳ２０４の補充処理を実行し、排出モードであればステップＳ２０５の排出処理を実行する（ステップＳ２０１）。
【００９８】
制御部１０３Ｐは、ステップＳ２０２において計数処理を行う。計数処理中には、貸出ボタン９、再プレーボタン７が押されても何もしない。計数処理では、計数機構７０、近接Ｓのメダル１枚毎の検知信号を積算して記憶する（ステップＳ２０２）。なお制御部１０３Ｐは、計数処理中にメダルタンク６２に内蔵するメダル数が所定の多量の値（第２の所定数（重さや数や所定容器に貯蔵されるメダル量に対応した所定位置におけるメダル有無を示す情報等））を超えたと判定した場合には、直にメダル計数処理を停止（計数機構７０の停止、揚送機構６０、７４の停止、７７シャッタの閉塞、また揚送機構６０、７４のメダル受入口に設けたシャッタの閉塞）する。
【００９９】
制御部１０３Ｐは、ステップＳ２０３において払出処理を行う。払出処理中には、計数ボタンが押されても計数しないし、他のモードへの移行による処理は行わない。払出処理では、制御部１０３Ｐは、ボタンＩＦを介して再プレーボタン７が押されたことを検知した場合、既述の持ちメダル数を消費して、優先して払い出し、持ちメダル数がなくなると既述の貯メダル数を消費して払い出すよう、モータＩＦを介して払出用モータ６５を駆動して前記消費分のメダル数を払い出す。また制御部１０３Ｐは、ボタンＩＦを介して貸出ボタン９が押されたことを検知した場合、有価価値（度数）をカード管理装置からカードＩＤに基づいて読み出し、所定のメダル数（５０メダル１０００円分）の度数を引き落とすとともに、モータＩＦを介して払出用モータ６５を駆動して前記引き落とし分のメダル数を払い出す（ステップＳ２０３）。
【０１００】
制御部１０３Ｐは、ステップＳ２０４において補充処理を行う。補充処理中には、計数及び払出をしないし、他のモードへの移行による処理は行わない。補充処理では、制御部１０３Ｐは、計数機構７０、近接センサＳでカウントしながら受入口１７からのメダルを補充用として受け入れるようにしてもよいし、補充扉１０を開いて補充してもよい。なお補充用メダルの受け入れのため、補充用メダルを計数しないか、または計数してもその計数結果を景品交換可能な獲得遊技媒体数として処理しないように計数値と補充数とを分けて記憶する。勿論、上記した如く「自動補充モード（６６、１０４、１０５がある）」であれば勝手に補充されるので、制御部１０３Ｐは何もしない（ステップＳ２０４）。なお制御部１０３Ｐは、補充処理中にメダルタンク６２に内蔵するメダル数が所定の値（第５の所定量（重さや数や所定容器に彫像されるメダル量に対応した所定位置におけるメダル有無を示す情報等））を超えたと判定した場合には、直にメダルの補充処理を停止（計数機構７０の停止、揚送機構６０、７４の停止、７７シャッタの閉塞、シャッタ８８の閉塞、また揚送機構６０、７４のメダル受入口に設けたシャッタの閉塞）する。
【０１０１】
制御部１０３Ｐは、ステップＳ２０５において排出処理を行う。排出処理中には、計数及び払出をしないし、他のモードへの移行による処理は行わない。排出処理では、制御部１０３Ｐは、液晶表示部５に表示ＩＦを介して「余剰メダルの排出」の警告を表示し、かつ管理装置１００へ通信ＩＦを介して、島コントローラ１０２に中継させて、「排出モード」である旨の情報と台番号を送信する。
【０１０２】
管理装置１００では、「排出モード」である旨の情報を受けるとインカムで音声にて、受信した台番号に対応して「○○番台余剰メダル排出します」と案内する。この案内を受けた店員が、払出ノズル１３をスロットマシン２の下皿４３に臨んだ位置から外れた位置として、メダル箱を構えてリモコンから「排出受け準備完了」の旨の情報を送信する。するとメダル払出機１の制御部１０３Ｐは、店員所持のリモコンから「排出受け準備完了」の旨の情報を受けると、モータＩＦを介して払出用モータ６５を駆動して、余剰メダルを外部に払い出す。勿論、上記した如く「自動補充モード（６６、１０４、１０５がある）」であれば勝手に排出されるので、制御部１０３Ｐは何もしない（ステップＳ２０５）。
【０１０３】
なお、払出ノズル１３をスロットマシン２の下皿４３に臨んだ位置にあることを、制御部１０３ＰがセンサＩＦを介して入力した位置情報により検知した場合、制御部１０３Ｐは、液晶表示部５に表示ＩＦを介して「余剰メダルの排出」の警告を表示し、かつ管理装置１００へ通信ＩＦを介して、島コントローラ１０２に中継させて、「排出モードですがノズルの位置がお客様のスロットマシン側となっているので、ノズルの位置を変更してください」である旨の情報と台番号を送信する。管理装置１００では、「排出モード」である旨の情報を受けるとインカムで音声にて、受信した台番号に対応して「○○番台排出モードですがノズルの位置がお客様のスロットマシン側となっているので、ノズルの位置を変更してください」と案内するとよい。
【０１０４】
次に制御部１０３Ｐは、ステップＳ２０６に移行し、既述のステップＳ１００で管理装置１００が受信する情報を、通信ＩＦを介して、島コントローラ１０２に中継させて、送信する（ステップＳ２０６）。
【０１０５】
次に制御部１０３Ｐは、ステップＳ２０７に移行し、既述のステップＳ１０１で管理装置１００が受信する情報を、通信ＩＦを介して、島コントローラ１０２に中継させて、送信する（ステップＳ２０７）。
【０１０６】
次いで本発明を応用した実施の形態を図１７から図２０に基づいて説明する。図１７から図２０は第５の実施の形態であり、当該メダル払出機１の斜視図である。図１７は第５の形態のメダル払出機１の前面側斜視図である。図１８は、第５の形態のメダル払出機１にメダル収容器を配置した前面側斜視図である。図１９は、第５の形態のメダル払出機１にメダル収容器を配置した後回転させた前面側斜視図である。図２０は、第５の形態のメダル払出機１における収納留め部を退去させた前面側斜視図である。
【０１０７】
図１７から図２０における第５の形態のメダル払出機１は、図８における受入口６７、図９における受入口６８以外の構造は、図８、図９と同じである。また図１７から図２０における第５の形態のメダル払出機１は、図９の構造の異なる点として、収納留め部として機能する根元側の設置台１２５、先端側の設置台１２６をそれぞれ備え、その設置台１２５の筺体３前面側１３４の水平方向左右に薄板状のガイド１２５を備え、また設置台１２５の中央には谷部１２７を備える点が挙げられる。また筺体３前面側１３４には、メダルを受け入れる半ドーム状の孔である半ドーム孔１２２が開口され、半ドーム孔１２２の下面には特公昭６３−３６０４０公報記載の円筒径内を回転するディスクにメダルを受け入れるメダル受入孔１２４を設け、ホッパー底部に設けられた固定されたガイドピンであって、ディスクが回転するとディスク下面側であってディスク回転軌道上に設けられた切欠部をガイドピンが通過するよう構成され、メダル受入孔に受け入れたメダルがガイドピンに導かれ、円筒径内外延に設けられた排出口から１枚毎に排出する機構（ディスク型整列機構）が設けられている。
【０１０８】
図１８においては、メダル箱１３２（メダル収容器の１例）を、設置台１２５、１２６の上部側が支持し、またメダル箱１３２の下端部の筺体３前面１３４側がガイド１２３の間にガイドされつつ、自重で落下しないよう設置できる。そしてメダル箱１３２の筺体３前面１３４側と反対側の端部が図示された矢印の方向に持ち上げて回転させることができる。図１９に示す如くメダル箱１３２が回転軸１２８を中心に回転させられると、メダル箱１３２内のメダルがメダル箱１３２の内側側面の下側から半ドーム孔１２２に滑落し、図１０（図１０は本発明のメダル払出機１を側面方向から見た内部断面説明図である。）における計数機構７０に導かれ、計数機構７０で計数されたメダルはメダルタンク６２へ図示された矢印の方向へ落下して収容することができる。
【０１０９】
設置台１２６は、筺体３前面１３４に対し垂直な方向に進退自在であり、設置台１２５内に退くことで人間の体などに接触して邪魔になることを防止し、進出することで大きなメダル箱１３２を落とさないよう支持可能とできる。図２０においては、設置台１２６が設置台１２５内に退去した状態を示している。設置台１２５に対し設置台１２６の進退は、人間が設置台１２６の先端を持って進退させることで実現できる。設置台１２５の内部空間の上下には、その中心に向かってラチェット機構の凹凸が配置され、設置台１２６の設置台１２５内部空間に常に位置する外側上下の部位には、ばねで外方向に付勢され、内方向に向かって退去するよう形成された凸部が、前記設置台１２５の凹凸の凹部に嵌合して、設置台１２５から設置台１２６の突出位置を任意に決められる。設置台１２６を最大突出させると、設置台１２５の突出最先端部内壁に、設置台１２６の根元端部外壁が当接して、設置台１２５に対し設置台１２６を取り出すことができないよう嵌合する。
【０１１０】
次いで本発明を応用した実施の形態を図２１から図２３に基づいて説明する。図２１から図２３は第６の実施の形態であり、当該メダル払出機１の側面説明図である。図２１は第６の形態のメダル払出機１におけるメダル箱１３２を配置していない側面説明図である。図２２は第６の形態のメダル払出機１におけるメダル収容器を配置した側面説明図である。図２３は第６の形態のメダル払出機１におけるメダル収容器を配置した後回転させた側面説明図である。
【０１１１】
図２１から図２３における第５の形態のメダル払出機１は、図８における受入口６７、図９における受入口６８以外の構造が、図８、図９と同じである。また図２１から図２３における第６の形態のメダル払出機１は、図８の構造の異なる点として、収納留め部として機能する１３１、１２９を備える点が挙げられる。
【０１１２】
図２１において、メダル払出機１の筺体３の前面１３４中段（ノズル１３の上方側）に、収納留め部として機能するフック１３１にメダル箱１３２の把手１３３に掛けることができる。また同じく、メダル払出機１の筺体３の前面１３４中段に、収納留め部として機能する支持台１２９は、メダル箱１３２の下部を支えることができる。フック及び支持台１２９は、メダル箱１３２の形状にあわせて任意の形状のものに交換できる。また半ドーム孔１２２を筺体３の前面１３４の内部側に半球状に形成して備える。半ドーム１２２の下方にはメダルを一時に流下しないようにする絞り１３５を備える。また既述のディスク型整列機構１２４を受入口１３０の底側に備える。なお支持台１２９はメダル箱下部を支えるのではなく、支持台１２９ａの如く、メダル箱１３２の筺体３前面１３４側の側面を支えるようにしても落下しない。
【０１１３】
図２２の如く、メダル箱１３２の把手１３３をフック１３１に掛け、メダル箱１３２の下部を支持台１２９上に載置すると、メダル箱１３２は落下しないよう筺体３の前面１３４中段部分に留めることができる。この状態でメダル受入口１３０にメダルを手ですくって投入するようにしてもよいが、図２３に示す如く、メダル箱１３２をフック１３１を軸受けとし、把手１３３を回転軸に回転させ、半ドーム孔１２２にメダルを落下させて、ディスク型整列機構１２４の回転不可能なメダル重量をかけないための絞り１３５にて流下量の制限を受けつつ、図１０（図１０は本発明のメダル払出機１を側面方向から見た内部断面説明図である。）における計数機構７０に導かれ、計数機構７０で計数されたメダルはメダルタンク６２へ図示された矢印の方向へ落下して収容することができる。
【０１１４】
次に本発明を応用した第７の実施の形態を図２４に基づいて説明する。図２４は、第７の形態の当該メダル払出機１の側面説明図である。図２２と異なり、メダル箱１３２の下端を、支持台１２９の変わりに受入口１３０の上縁端が支持し、メダル収納箱１３２の底面がメダルが滑落可能な角度αだけ傾斜している点が挙げられる。またメダル箱１３２の側面にはシャッタ１３６を備え、シャッタ１３６は、側面開口部を開閉自在に摺動可能に、溝部１３９によって挟持されている。またシャッタ開閉駆動部１３８からの動力を受けて把手１４０が、シャッタ１３６の一部に外側へ突出した突起１３７に当接して作用することでシャッタ１３６が開閉動作をする。シャッタ１３６が開状態になるとメダル箱１３２内のメダルが傾斜度αによって滑落してメダル受入口１３０に滑落し、ディスク型整列機構１２４を介して、図１０（図１０は本発明のメダル払出機１を側面方向から見た内部断面説明図である。）における計数機構７０に導かれ、計数機構７０で計数されたメダルはメダルタンク６２へ図示された矢印の方向へ落下して収容することができる。なお、シャッタ１３６の開閉動作は、メダル箱１３２の存在の有無を検知するスイッチを受入口１３０とメダル箱１３２の下部の接触点や、把手１４０と突起１３７の接触点や、把手１３３とフック１３１の接触点に設けたり、或いは光学式センサでメダル箱１３２の有無を検知することで、メダル箱１３２有りで開動作させ、メダル箱１３２無しで閉動作させるようにするとよい。
【０１１５】
次に本発明の１の形態（Ａ案）を図２５、図２６に基づいて説明する。図２５は、図１０に対し、メダル導き選択手段を構成する各要素１５０〜１５６が追加されている。メダル導き選択手段としては、メダル受入部６７が筺体前面１３４側に設けられ、上方が広く開口した半ドーム形状の漏斗状のもの６７とし、メダル貯蔵部６２の上方に配置し、メダル受入部６７から受け入れたメダルをメダル貯蔵部６２へ落下させて導く（第１経路）場合、メダル受入部６７の底部にディスク型整列機構７０を配置し、メダルをディスク型整列機構７０によって整列後に第１経路と第２経路とに振り分けて案内する。
【０１１６】
滑落路前半１５６から滑落路後半１５５の間の開口部を開閉可能なシャッタ１５０を備え、メダルをディスク型整列機構７０によって整列後に、シャッタ１５０は制御部１０３Ｐに制御されるソレノイド１５４によって、１５０ｐの開口状態と１５０ｑの閉塞状態とに制御することができる。またシャッタ１５０は蝶番１５３によって滑落路の後半側の１５５の上端に回動自在に軸支される。スロットマシンへのメダル投入モードである旨のボタン（図示せず）が押された場合、制御部１０３Ｐによってシャッタ１５０は、開口状態を１５０ｐに制御され、シャッタ１５０の蝶番に近い、下流側のシャッタ下流端部が高く位置させ、滑落路１５６から運動エネルギーを伴って滑落するメダルを、シャッタ下流端部で受けて確実に止めて、第２経路であるスロットマシン側への通路１５１に導くことができる（第２経路）。
【０１１７】
ここで、滑落路前半１５６の下端部は、シャッタ１５０ｑより高い位置にあり、シャッタ１５０ｑの下端部は滑落路後半１５５の上端部より高い位置にあることで、メダルの滑落がスムーズである。また、通路１５１はメダル払出部６３通路と合流部１５２と合流し、ノズル１３からスロットマシンへ払い出される。なお、筺体前面１３４からシャッタ１５０、通路１５１、合流部１５２は全て透明で遊技者からメダルの動きを目視することができる。
【０１１８】
一方、計数ボタンがおされ計数モードをとる場合には、制御部１０３Ｐによってシャッタ１５０が閉塞状態である１５０ｑの状態に制御され、滑落路１５６から滑落するメダルをシャッタ１５０ｑの上を滑落し、さらに後半の滑落路１５５の上に至り、次いで、１５５下端からメダル貯蔵部６２に落下させて導くことができる（第１経路）。（以上Ａ案）
【０１１９】
次に本発明の１の形態（Ｂ案）を図２７、図２８に基づいて説明する。図２７は、図１２に対し、メダル導き選択手段を構成する各要素１６０、１６１、１５ａ〜１５ｇが追加され，穿設孔７７、突出部７６等が除かれている。メダル導き選択手段としては、筺体前面１３４下側に２つのリフト機構７４１における入口７７１と入口１６０とを並べて配置し、第１経路（メダル貯蔵部側）に導く場合は第１のリフト機構側の入口１６０に、第２経路（スロットマシン側）に導く場合は第２リフト機能側の入口７７１に、振り分けて分岐通路１５ａまたは１５ｈの内いずれかの側に案内して導くものである。
【０１２０】
図２８に示す如く、制御部１０３Ｐはソレノイド１５ｇを駆動して、振分弁を１５ｈ側に位置させるためロッド１５ｆを退き側にすると、湾曲路１５を介して転動流下してきたメダルを入口７７１側である開口１５ｃへ導くことができる。また制御部１０３Ｐはソレノイド１５ｇを駆動して、振分弁を１５ａ側に位置させるためロッド１５ｆを突出側にすると、湾曲路１５を介して転動流下してきたメダルを入口１６０側である開口１５ｄへ導くことができる。
【０１２１】
図２９に示す如く、入口７７１へメダルが導かれる場合、制御部１０３Ｐによってモータ８７を順方向に駆動して駆動ローラ８６を順方向回転させ、メダルを揚送させた後傾斜面８０から滑落後ネット８１ｂへ導く。また入口１６０へメダルが導かれる場合、制御部１０３Ｐによってモータ８７を逆方向に駆動して駆動ローラ８６を逆方向回転させ、メダルを揚送させた後筺体内部投入口１６１へ導く。そして筺体内部投入口１６１から投入されたメダルは、計数部によって計数後、メダル貯蔵部であるメダルタンク６２に導かれる。
【０１２２】
次に本発明の１の形態（Ｃ案）を図２９、図３０に基づいて説明する。図２９は、図１２に対し、メダル導き選択手段を構成する各要素１７０、１７１、１７２が追加され，穿設孔７７、突出部７６等が除かれている。メダル導き選択手段としては、筺体前面１３４下側に１つのリフト機構７４１を配置し、筺体前面中段に傾斜面８０の途中にシャッタ１７０を配置し、メダルをリフト機構７４１によってリフトアップ後に、制御部１０３Ｐに制御されてソレノイド（図示しない）が駆動しシャッタ１７０が開口すると傾斜面８０から開口を経て落下させ、第１通路１７１に至り、第１通路１７１を滑落させつつ経てメダル貯蔵部であるメダルタンク６２へ導く第１経路と、制御部１０３Ｐに制御されてソレノイド（図示しない）が駆動しシャッタ１７０が閉塞すると傾斜面８０からシャッタ１７０上を滑落し開口７９に至り、開口７９からネット８１ｂに滑落させる第２経路とに導く、即ち第１経路側と第２経路側へのいずれかの側に振り分けて案内する。
【０１２３】
なお、シャッタ１７０は、蝶番で回転自在に軸支され、開口すると、端部１７０ａが傾斜面８０より高い位置に位置し、滑落するメダルの滑落方向にシャッタ端部１７０ａが臨み、滑落するメダルがシャッタ端部１７０ａに衝突して第１通路１７１に確実に導く。またシャッタ１７０は、閉塞すると、滑落路８０のシャッタ１７０より上流側下端部より、シャッタ１７０上端部が下に位置し、滑落路８０のシャッタ１７０より下流側上端部より、シャッタ１７０下端部が上に位置することで、滑落路８０から滑落するメダルが、滑落路８０のシャッタ１７０より上流側下端部、シャッタ上面、滑落路８０のシャッタ１７０より下流側上端部、を経て開口７９に滑落可能とすることができる。
【０１２４】
また第１通路は、シャッタ１７０の開口によってメダルを受け入れると、筺体内部への開口１７２に向かって滑落可能に傾斜した傾斜面を備え、当該傾斜面から開口１７２を介してメダル貯蔵部であるメダルタンク６２にメダルを導くことができる。
【０１２５】
以上説明してきたように、上記いくつかの本実施の形態（Ａ、Ｂ、Ｃ、Ｄの各案）によって、本発明のメダル払出機及びメダル払出機のメダル払出方法を実現することができる。そして、本実施の形態によれば、メダル導き選択手段として、筺体側へ１枚毎に転動流下するメダルを筺体前面下側に導き、無端ベルト７５で構成されるコンベアリフト上に、転動メダルをその姿勢のままメダル外縁部を乗せるための搬送突起８３を有し、その突起８３は筺体前面側が下側に、筺体前面側と反対側の転動メダル上流側が上側になるよう斜めに傾斜させている（このように傾斜させればソレノイド８５が必要ない）。そして無端ベルト７５を、リフト方向に垂直な四方を覆う通路７４１内に配置し、計数モードにおいては、無端ベルトによってメダルをリフト中に、メダル外縁部と接する筺体前面に開口された穿設口７７を開閉するシャッタ７７ａを制御部１０３Ｐに制御されて開口すると、筺体前面に配置した内部のメダル貯蔵部へ導くことが可能な経路へ導くことができる。またスロットマシンへのメダル投入モードである旨のボタン（図示せず）が押された場合、制御部１０３Ｐに制御されて当該シャッタ７７ａを閉じると無端ベルト７５によってリフト後スロットマシン側であるネット８１ｂに導くことができるという効果を奏する。
【０１２６】
また、図２５、図２６で示すメダル払出機１（Ａ案）において、さらに、遊技台に隣接して設けられた筺体３と、投入されたメダルを受け入れるメダル受入部６８、１３０と、メダル受入部６８、１３０から受け入れたメダルを貯蔵するメダル貯蔵部６２と、前記メダル貯蔵部６２に貯蔵されるメダルを前記筺体前面側に払い出すメダル払出部６３、１３等と、メダル貯蔵部に流下可能な高さ位置であって（前記メダル払出部の上方側であって）筺体３前面側１３４側面に設けられ、メダル収容可能なメダル収容器を着脱可能に落下させない状態で留めることが可能な収納留め部６８における１２０及び１２１、１２５及び１２６、１２９および１３１、１３１及び１３０の上縁端、を備え、留められたメダル収容器６９、１３２からメダル受入部６８、１２２、１３０までのメダルを手等で運ぶ距離が短いため、メダルをメダル払出機へ投入する際手間なく溢し難くできると言う効果を奏する。
【０１２７】
また、図２５、図２６で示すメダル払出機１（Ａ案）において、さらに、メダル払出機１は、遊技台に隣接して設けられた筺体３と、投入されたメダルを受け入れるメダル受入部と、メダル受入部６８、１３０から受け入れたメダルを貯蔵するメダル貯蔵部６２と、メダル貯蔵部に貯蔵されるメダルを筺体３前面１３４側に払い出すメダル払出部６３、１３等と、メダル払出部の上方側であって筺体３前面１３４側側面に設けられ、メダル収容可能なメダル収容器を着脱可能に落下させない状態で留めることが可能な収納留め部６８における１２０及び１２１、１２５及び１２６、１２９および１３１、１３１及び１３０の上縁端、と、収納留め部または／及びメダル収容器を、外力または自機に備える駆動力源からの駆動力により動作させることが可能な動作機構（６８の回転可能な機構、１３２を回転可能な機構、動作する１４０）と、を備え、動作機構により収納留め部または／及びメダル収容器を動作させることで、前記収納留め部に留められたメダル収納器６９、１３２内に収納されたメダルを受け入れることが可能であるので、多量のメダル一気に運ぶことができるメダル収容器をメダル払出部の上方側であって筺体前面側側面に収納留め部によって一旦留め、その後動作機構により収納留め部または／及びメダル収容器を動作させることで、メダルをメダル受入部に投入する際手間なく溢し難くすることができるとともにメダル払出部から再びメダルを払い出すのに揚送する必要がないと言う効果を奏する。
【０１２８】
また、図２５、図２６で示すメダル払出機１（Ａ案）において、さらに、図９に示す如く、メダル払出機１は、動作機構（６８の回転可能な機構）が、収納留め部６８における１２０及び１２１を回転軸に回転可能に軸支した回転手段であり、回転手段により収納留め部を回転動作させることで、収納留め部に留められたメダル収納器６９内に収納されたメダルを受け入れることが可能とした例を用いても同様に手間なく溢し難くすることができるとともにメダル払出部から再びメダルを払い出すのに揚送する必要がないと言う効果を奏する。
【０１２９】
また、図２５、図２６で示すメダル払出機１（Ａ案）において、さらに、図１７から図２０、図２１から図２３に示す如く、メダル払出機１は、動作機構（１３２を回転可能な機構）、によって、メダル収納器１３２の一端を持ち上げて回転させると、前記メダル収納器の他端側からメダル収納器内に収納されたメダルを受け入れることが可能とした例を用いても同様に手間なく溢し難くすることができるとともにメダル払出部から再びメダルを払い出すのに揚送する必要がないと言う効果を奏する。
【０１３０】
また、図２５、図２６で示すメダル払出機１（Ａ案）において、さらに、図２１から図２３に示す如く、メダル払出機１は、収納留め部１３１が、メダル収納器１３２の端部１３３を掛けて留めることが可能であり、動作機構が、メダル収納器を回転軸に回転可能に軸支した回転手段（１３３と１３１の回転可能な機構）であり、回転手段によりメダル収納器を回転軸（１３１の中心付近）を中心に回転させることで、メダル収納器１３２内に収納されたメダルを受け入れることが可能とした例を用いても同様に手間なく溢し難くすることができるとともにメダル払出部から再びメダルを払い出すのに揚送する必要がないと言う効果を奏する。
【０１３１】
また図２５、図２６で示すメダル払出機１（Ａ案）において、さらに、図２４に示す如く、メダル払出機１は、動作機構（１４０と１３７）が、メダル収納器１３２の一部に設けられたシャッタ機構１３６を開閉動作させることで、収納留め部（１３１と１３０の上縁端）に留められたメダル収納器内に収納されたメダルを受け入れることが可能とした例を用いても同様に手間なく溢し難くすることができるとともにメダル払出部から再びメダルを払い出すのに揚送する必要がないと言う効果を奏する。
【０１３２】
また、図２５、図２６で示すメダル払出機１（Ａ案）において、さらに、メダル払出機１は、メダル受入部に受け入れたメダルを計数する計数部（計数機構７０、近接センサＳ）と、計数部で計数したメダルメダル貯蔵部６２へ導くようにしてもよい。
【０１３３】
また、メダル払出機１は、収納留め部（６８、１２５と１２６、１２９）は、筺体３前面１３４において進退可能である。
【０１３４】
また本実施の形態では、計数機構７０、近接センサＳによって計数されたメダルを受け入れて貯蔵するメダル貯蔵部６２と、計数機構で計数したメダルをメダル貯蔵部６２へ導くメダル導入機構（６０、７０と７１、７４と７６と７７）と、メダル貯蔵部６２に貯蔵されるメダルを前記筺体３前面側に払い出すメダル払出部（払出用ノーズ６３、１３、７８）と、を備え、前記メダル貯蔵部６２に貯蔵するメダル数に応じて前記筺体外部へ排出する排出処理か前記筺体内部へ取り込む取込処理かを切り換えて処理する排出取込切換機構（５９と７３）を備えるので、計数用メダル及び補充用メダルを、同一のメダル受入部から同一のメダル導入機構を介して同一のメダル貯蔵部に、再度払い出し可能に最大限の貯蔵容量を確保して貯蔵できるようにするとともに、メダル払出機筺体のスペース最小化を図り使い勝手を良くでき、そして計数メダルをメダル貯蔵部に貯蔵する際発生するメダル貯蔵部へのオーバーフローに対応し、そしてメダル貯蔵部を払い出し可能なメダル量を維持することに対応し、メダル貯蔵部のメダル量（重さや数や所定容器に彫像されるメダル量に対応した所定位置におけるメダル有無を示す情報等）に応じて筺体外部へ排出する排出処理か前記筺体内部へ取り込む取込処理かを切り換えて処理できるという効果を奏する。
【０１３５】
また、排出取込切換機構（５９と７３、６７から７０と６３から１３、１７から６０と６３から１３）は、メダル貯蔵部６２に貯蔵されるメダル量が第１の所定量（重さや数や所定容器に彫像されるメダル量に対応した所定位置におけるメダル有無を示す情報等）を超えた場合に筺体外部へ排出することで、メダル貯蔵部に貯蔵されるメダル量がオーバーフロー（外部への排出困難な程の重量超過状態である）することを防止でき、メダル貯蔵部に貯蔵されるメダル量が第１の所定量（重さや数や所定容器に彫像されるメダル量に対応した所定位置におけるメダル有無を示す情報等）より小さい第４の所定量（重さや数や所定容器に彫像されるメダル量に対応した所定位置におけるメダル有無を示す情報等）を下回った場合に筺体内部に取り込むことで、メダル貯蔵部の貯蔵量不足に払い出されなくなることを防止できるという効果を奏する。
【０１３６】
また、メダル貯蔵部６２に貯蔵されるメダル量が所定量（第２の所定量）（重さや数や所定容器に彫像されるメダル量に対応した所定位置におけるメダル有無を示す情報等）を超えたか否かを判定するメダル量判定手段を更に備え、メダル量判定手段によってメダル量が第２の所定量（重さや数や所定容器に彫像されるメダル量に対応した所定位置におけるメダル有無を示す情報等）を超えたと判定した場合にメダル受入部から筺体内部へのメダルの受入を行わない（計数機構７０の停止、揚送機構６０、７４の停止、７７シャッタの閉塞、シャッタ８８の閉塞、また揚送機構６０、７４のメダル受入口に設けたシャッタの閉塞）ので、メダル貯蔵部に貯蔵されるメダル量がオーバーフロー（外部への排出困難な程の重量超過状態である）することを防止できるという効果を奏する。
【０１３７】
また、メダル貯蔵部６２に貯蔵されるメダル量及び遊技台に貯蔵されるメダル量の和が第３の所定量（重さや数や所定容器に彫像されるメダル量に対応した所定位置におけるメダル有無を示す情報等）を超えたか否かを判定する第２メダル量判定手段を更に備え、前記第２メダル量判定手段によってメダル量の和が前記第３の所定量（重さや数や所定容器に彫像されるメダル量に対応した所定位置におけるメダル有無を示す情報等）を超えたと判定した場合に前記メダル受入部から筺体内部へのメダルの受入を行わないので、メダル貯蔵部に貯蔵されるメダル量および遊技台に貯蔵されるメダル量の和がオーバーフロー（外部への排出困難な程の重量超過状態である）することを防止できるという効果を奏する。
【０１３８】
また、獲得メダルを計数する計数モードと、払い出し用のメダルを補充する補充モードとを切り換える切換手段（Ｓ２００）と、切換手段によって計数モードに設定される場合には計数機構によって計数された計数結果を遊技者に発行する記録媒体の記録情報に対応付けて記録する計数結果記録手段（Ｓ２０６、詳細はＳ１００の説明に記載）と、切換手段（Ｓ２００）によって補充モードに設定される場合には排出取込切換機構（５９と７３、６７から７０と６３から１３、１７から６０と６３から１３）によって取込処理（６７から７０、１７から６０）が実行可能であり、取込処理（６７から７０、１７から６０）によって受け入れた補充用メダルを受け入れるとともに、補充用メダルを計数しないかまたは計数してもその計数結果を景品交換可能な獲得遊技媒体数として処理しないようにする補充メダル非処理受入手段（Ｓ２０４）と、を備えるので、補充と計数とを混乱なく切り換えて実施することができるという効果を奏する。
【０１３９】
また、切換手段（Ｓ２００）は、さらにメダル貯蔵部６２に貯蔵されるメダルを外部に排出するための排出モードに切り換え可能であり、切換手段（Ｓ２００）によって排出モードに設定される場合には排出取込切換機構（５９と７３、６７から７０と６３から１３、１７から６０と６３から１３）によって排出処理（Ｓ２０５）が実行可能であり、排出処理によって外部にメダルを排出可能とする排出手段（５９、６３から１３）を備えるので、補充と計数に加えて、排出とを混乱なく切り換えて実施することができるという効果を奏する。
【図面の簡単な説明】
【０１４０】
【図１】第１の形態のメダル払出機を遊技機に隣接させて配置した斜視図である。
【図２】スロットマシン２及び第１の形態のメダル払出機１の背面側からみた斜視図である。
【図３】スロットマシン２及び第１の形態のメダル払出機１を底面側から見た図である。
【図４】スロットマシン２及び第１の形態のメダル払出機１の前面下部側を拡大した斜視図である。
【図５】灰皿４５の斜視図である。
【図６】図４における、断面Ｑ、断面ＳにおけるＡＡ’方向から見た図である。
【図７】第１の形態のメダル払出機１を側面方向から見た内部断面説明図である。
【図８】第２の形態のメダル払出機１の前面側斜視図である。
【図９】第３の形態のメダル払出機１の前面側斜視図である。
【図１０】第２の形態のメダル払出機１を側面方向から見た内部断面説明図である。
【図１１】スロットマシン２及び第４の形態のメダル払出機１の背面側からみた斜視図である。
【図１２】第４の形態及びＤ案のメダル払出機１における揚送機構７４の拡大した斜視図である。
【図１３】図１２における断面ＴのＷＷ’視である。
【図１４】メダル払出機１を採用した管理システム図である。
【図１５】管理装置１００についてのフローチャートである。
【図１６】メダル払出機１についてのフローチャートである。
【図１７】第５の形態のメダル払出機１の前面側斜視図である。
【図１８】第５の形態のメダル払出機１にメダル収容器を配置した前面側斜視図である。
【図１９】第５の形態のメダル払出機１にメダル収容器を配置した後回転させた前面側斜視図である。
【図２０】第５の形態のメダル払出機１における収納留め部を退去させた前面側斜視図である。
【図２１】第６の形態のメダル払出機１における側面説明図である。
【図２２】第６の形態のメダル払出機１におけるメダル収容器を配置した側面説明図である。
【図２３】第６の形態のメダル払出機１におけるメダル収容器を配置した後回転させた側面説明図である。
【図２４】第７の形態のメダル払出機１におけるメダル収容器を配置した側面説明図である。
【図２５】第８の形態及びＡ案のメダル払出機１を側面方向から見た内部断面説明図である。
【図２６】第８の形態及びＡ案のメダル払出機１におけるメダル導き選択手段の一部を拡大した内部断面説明図である。
【図２７】第９の形態及びＢ案のメダル払出機１における揚送機構７４の拡大した斜視図である。
【図２８】第９の形態及びＢ案のメダル払出機１における揚送機構７４の筺体前面下部側に設けられた湾曲部１５の下端部の下方視（ＴＯＰ  ＶＩＥＷ）説明図である。
【図２９】第１０の形態及びＣ案のメダル払出機１における揚送機構７４の拡大した斜視図である。
【図３０】図２９における断面ＴのＷＱＷＱ’視である。
【符号の説明】
【０１４１】
１・・・メダル払出機、２・・・スロットマシン、３・・・筺体、４・・・紙幣投入口、５・・・液晶表示部、６・・・カード受入発行口、７・・・再プレーボタン、８・・・計数ボタン、９・・・貸出ボタン、１０・・・補充扉、１３・・・ノズル、１４・・・長さ著精通路、１５・・・湾曲路９９、１７・・・受入口、１８・・・払出口、２６・・・滑り台、２７・・・外部滑り台、３４・・・満杯搬送路、３５・・・搬送駆動ローラ、３６・・・排出口、３８・・・揚送ベルト、３９・・・揚送機カバー、４０・・・揚送機、４１・・・底部滑り台、４２・・・スロットマシン底部開口部、４９・・・嵌合突起、５２・・・シャッタ、５３・・・フック、５４・・・溝、５５・・・谷底、５６・・・曲面、５８・・・補充樋、５９・・・排出樋、６０・・・揚送機構、６１・・・揚送機構カバー、６２・・・メダルタンク、６６・・・島内メダル供給搬送路、６７・・・受入口、７０・・・計数機構、７３・・・背面導入樋、８８、８９・・・シャッタ、９０・・・底部排出樋、９１・・・下部排出口９１、９９・・・カード返却ボタン、近接センサ・・・Ｓ、１００・・・管理装置、１０１・・・ネットワーク、１０２・・・島コントローラ、１０４・・・メダル供給装置、１０５・・・搬送通路、１２２・・・受入口（半ドーム孔）、１２３・・・ガイド、１２４・・・メダル受入孔（ディスク型整列機構）、１２５・・・根元側の設置台（収納留め部）、１２６・・・先端側設置台（収納留め部）、１２７・・・谷部、１２９・・・支持台（収納留め部）、１３０・・・受入口（上縁端が収納留め部として機能）、１３１・・・フック（収納留め部）、１３２・・・メダル箱（メダル収容器の１例）、１３４・・・筺体３の前面パネル、１３６・・・シャッタ、１３６、１３８・・・シャッタ開閉駆動部、１５０・・・シャッタ、１６１・・・筺体内部投入口、１７０・・・シャッタ、１７１・・・第１通路、１７２・・・筺体内部への開口、
【図１】
2010022671.tif 000003
【図２】
2010022671.tif 000004
【図３】
2010022671.tif 000005
【図４】
2010022671.tif 000006
【図５】
2010022671.tif 000007
【図６】
2010022671.tif 000008
【図７】
2010022671.tif 000009
【図８】
2010022671.tif 000010
【図９】
2010022671.tif 000011
【図１０】
2010022671.tif 000012
【図１１】
2010022671.tif 000013
【図１２】
2010022671.tif 000014
【図１３】
2010022671.tif 000015
【図１４】
2010022671.tif 000016
【図１５】
2010022671.tif 000017
【図１６】
2010022671.tif 000018
【図１７】
2010022671.tif 000019
【図１８】
2010022671.tif 000020
【図１９】
2010022671.tif 000021
【図２０】
2010022671.tif 000022
【図２１】
2010022671.tif 000023
【図２２】
2010022671.tif 000024
【図２３】
2010022671.tif 000025
【図２４】
2010022671.tif 000026
【図２５】
2010022671.tif 000027
【図２６】
2010022671.tif 000028
【図２７】
2010022671.tif 000029
【図２８】
2010022671.tif 000030
【図２９】
2010022671.tif 000031
【図３０】
2010022671.tif 000032